(57)【特許請求の範囲】
【請求項１】
給水手段と、この給水手段から供給された水をコップに給水するコップ給水部と、うがい水または処置用インスツルメントからの洗浄水を受ける排水受け部とを備えるとともに、
上記給水手段からの給水を、その継手部に着脱可能に接続された処置用インスツルメントに供給するための給水管路を内蔵させた、少なくとも１以上のフレキシブルチューブをインスツルメント保持部より導出させた構造とし、
且つ、上記コップ給水部の排水流量を、上記フレキシブルチューブの排水流量より大とした医療装置において、
上記給水管路を内蔵したフレキシブルチューブを、排水受け部にセットしてから、上記給水手段を作動して、
上記コップ給水部の管路洗浄を優先的に行ってから、上記フレキシブルチューブの管路洗浄を実行することを特徴とする医療装置の配管洗浄方法。
【請求項２】
請求項１において、
上記給水手段を作動して、上記コップ給水部の管路洗浄を優先的に行う際に、あるいはその直後に、更に上記排水受け部の排水洗浄を行うことを特徴とする医療装置の配管洗浄方法。
【請求項３】
請求項１又は２において、
上記フレキシブルチューブを、排水受け部に置かれた洗浄用排水タンクにセットした後に、そのフレキシブルチューブより一斉に洗浄排水を放出させて管路洗浄を行うことを特徴とする医療装置の配管洗浄方法。
【請求項４】
請求項１〜３のいずれかにおいて、
上記医療装置は、吸引手段と、バキュームシリンジとを更に備えており、
上記排水受け部に置かれた洗浄用排水タンクに、処置用インスツルメントを、先端に着脱可能に接続したフレキシブルチューブをセットする際には、上記バキュームシリンジを洗浄用排水タンクにセットして上記吸引手段を作動させ、これによって、上記バキュームシリンジより洗浄用排水タンク内を吸引しながら、上記フレキシブルチューブから上記洗浄用排水タンク内に洗浄排水を放出させることを特徴とする医療装置の配管洗浄方法。
【請求項５】
請求項１〜４のいずれかの医療装置の配管洗浄方法を実行するにおいて、医療装置より導出させた給水管路を内蔵させたフレキシブルチューブを洗浄する際に、該フレキシブルチューブの継手部に装着される汚染防止用補助キャップであって、
先端には開口を形成した筒状本体を有し、その筒状本体の内面には、フレキシブルチューブの継手部が装着されたときに、上記開口をフレキシブルチューブの給水管路に水密的に通じさせる内周壁を形成した構造としている汚染防止用補助キャップ。
【請求項６】
請求項１〜４のいずれかの医療装置の配管洗浄方法を実行するにおいて、医療装置より導出させた給水管路と、給気管路とを内蔵させたフレキシブルチューブを洗浄する際に、該フレキシブルチューブの継手部に装着される汚染防止用補助キャップであって、
外周壁には排水孔口を形成するとともに、先端には開口を形成した筒状本体を有し、その筒状本体の内面には、フレキシブルチューブの継手部が装着されたときには、上記排水孔口をフレキシブルチューブの給水管路に水密的に通じさせるとともに、上記先端の開口をフレキシブルチューブの給気管路に分離させて通じさせる凹凸部を有した内周壁を形成した構造とした汚染防止用補助キャップ。
【請求項７】
請求項１〜４のいずれかの医療装置の配管洗浄方法を実行するにおいて、医療装置より導出させた給水管路を内蔵させたフレキシブルチューブを洗浄する際に、該フレキシブルチューブの継手部に装着される汚染防止用補助キャップであって、
排水孔口を開口した外周壁にリング状凹溝を形成し、その凹溝に弾性Ｏリングを嵌入させて構成された逆流防止弁体を設けた、先端を閉塞した筒状本体を有し、その筒状本体の内面には、フレキシブルチューブの継手部が装着されたときには、上記排水孔口をフレキシブルチューブの給水管路に水密的に通じさせる凹凸部を有した内周壁を形成した構造とした汚染防止用補助キャップ。
【請求項８】
請求項１〜４のいずれかの医療装置の配管洗浄方法を実行するにおいて、医療装置より導出させた給水管路と、給気管路とを内蔵させたフレキシブルチューブを洗浄する際に、該フレキシブルチューブの継手部に装着される汚染防止用補助キャップであって、
排水孔口を開口した外周壁にリング状凹溝を形成し、その凹溝に弾性Ｏリングを嵌入させて構成された逆流防止弁体を設けるとともに、先端には、排気エアーの加圧によって排気口を開く常閉型の逆流防止エアー弁を設けた筒状本体を有し、その筒状本体の内面には、フレキシブルチューブの継手部が装着されたときには、上記逆流防止弁体の排水孔口をフレキシブルチューブの給水管路に水密的に通じさせるとともに、上記逆流防止エアー弁をフレキシブルチューブの給気管路に分離させて通じさせる凹凸部を有した内周壁を形成した構造とした汚染防止用補助キャップ。
【請求項９】
請求項１〜４のいずれかにおいて、
洗浄対象となるフレキシブルチューブの継手部から処置用インスツルメントを取り外し、代わりに、請求項５に記載の汚染防止用補助キャップを装着し、その状態で、医療装置の給水手段を作動させて、汚染防止用補助キャップの上記先端開口より洗浄排水を放出させて、配管洗浄を行うことを特徴としている医療装置の配管洗浄方法。
【請求項１０】
請求項１〜４のいずれかにおいて、
洗浄対象となるフレキシブルチューブの継手部から処置用インスツルメントを取り外し、代わりに、請求項６に記載の汚染防止用補助キャップを装着し、その状態で、医療装置の給水手段と給気手段とを作動させて、汚染防止用補助キャップの上記排水孔口より洗浄排水を放出させながら、上記先端開口よりエアーを排出させて、配管洗浄を行うことを特徴としている医療装置の配管洗浄方法。
【請求項１１】
請求項１〜４のいずれかにおいて、
洗浄対象となるフレキシブルチューブの継手部から処置用インスツルメントを取り外し、代わりに、請求項７に記載の汚染防止用補助キャップを装着し、その状態で、医療装置の給水手段を作動させて、汚染防止用補助キャップの上記逆流防止弁体より洗浄排水を放出させて配管洗浄を行うことを特徴としている医療装置の配管洗浄方法。
【請求項１２】
請求項１〜４のいずれかにおいて、
洗浄対象となるフレキシブルチューブの継手部から処置用インスツルメントを取り外し、代わりに、請求項８に記載の汚染防止用補助キャップを装着し、その状態で、医療装置の給水手段と給気手段とを作動させて、汚染防止用補助キャップの上記逆流防止弁体より洗浄排水を放出させながら、上記逆流防止エアー弁を開いて、上記排気口よりエアーを排出させて配管洗浄を行うことを特徴としている医療装置の配管洗浄方法。
【請求項１３】
少なくとも給水手段を内蔵するとともに、先端にはハンドピース、スケーラ、スリーウエイシリンジなどの処置用インスツルメントを着脱可能に接続した１以上のフレキシブルチューブをインスツルメント保持部より引出し可能に保持させ、かつコップ給水部と、排水受け部とを備え、コップ給水部の排水流量を、上記フレキシブルチューブの排水流量より大とした医療装置であって、
管路洗浄指令スイッチと、
洗浄対象となるフレキシブルチューブについて、上記インスツルメント保持部からの引出しを検出するフレキシブルチューブ引出検知手段と、
上記管路洗浄指令スイッチが操作されたときには、上記引出検知手段を参照して、洗浄対象となるすべてのフレキシブルチューブについての上記インスツルメント保持部からの引出しを前処理条件として判別し、その前処理条件が成立しているときに、上記給水手段を作動することによって、最初に上記コップ給水部の管路洗浄を行ってから、上記洗浄対象とされたフレキシブルチューブの管路洗浄を一斉に行わせる管路洗浄シーケンス制御手段とを備えたことを特徴とする管路自動洗浄機能を備えた医療装置。
【請求項１４】
請求項１３において、
上記医療装置は、吸引手段と、バキュームシリンジとを更に備えており、
上記洗浄用排水タンクに、洗浄対象となるフレキシブルチューブをセットするときには、上記バキュームシリンジを上記洗浄排水タンクにセットして、上記吸引手段を作動し、これによって、上記管路洗浄シーケンス制御手段は、洗浄対象となるフレキシブルチューブより洗浄排水を放出させている間は、上記バキュームシリンジによって洗浄用排水タンク内に放出された洗浄排水を吸引させる動作を継続して行うようにしている管路自動洗浄機能を備えた医療装置。
【請求項１５】
請求項１３又は１４において、
上記管路洗浄シーケンス制御手段は、上記管路洗浄指令スイッチを操作して、コップ給水部の管路洗浄を行う際、あるいはその直後には、更に排水受け部の管路洗浄も自動的に行うようにしている管路自動洗浄機能を備えた医療装置。
【請求項１６】
請求項１３〜１５のいずれかにおいて、
上記排水受け部には洗浄用排水タンクを置き、この洗浄用排水タンクに洗浄対象となるフレキシブルチューブをセットして、上記洗浄用排水タンク内に洗浄排水を排出させることを特徴とする管路自動洗浄機能を備えた医療装置。
【請求項１７】
請求項１３〜１６のいずれかにおいて、
給気手段を更に備え、上記管路洗浄シーケンス制御手段は、上記給水手段、上記給気手段から上記フレキシブルチューブを通じて、各種の処置用インスツルメントに給水を行うためのエアー作動弁を設けた給水配管制御系と、各種の処置用インスツルメントに給気を行うためのエアー作動弁を設けたエアー配管制御系と、これら給水配管制御系、エアー配管制御系の電磁弁を開閉制御する論理制御回路を備えた構成としている管路自動洗浄機能を備えた医療装置。
【請求項１８】
請求項１７において、
上記エアー配管制御系と給水配管制御系の各々は、共通のパイロットエアー作動弁に加えて、エアー主制御弁、給水主制御弁を備えるとともに、
上記パイロットエアー作動弁の上流側と給水主制御弁の下流側との間には、残留水排出制御弁を並列に配設した構成としている管路自動洗浄機能を備えた医療装置。
【請求項１９】
請求項１７又は１８において、
上記エアー配管制御系は、フレキシブルチューブの継手部に着脱可能に接続された処置用インスツルメントに供給するエアー流量を制御するためのサーボ弁を設けた給気管路を含んでおり、このサーボ弁は上記管路洗浄シーケンス制御手段が上記配管洗浄指令スイッチの操作によって作動され、給気手段を作動する際に開く構成としている管路自動洗浄機能を備えた医療装置。
【請求項２０】
請求項１３〜１９のいずれかにおいて、
上記管路洗浄シーケンス制御手段は、洗浄の対象となる各種イスツルメントがインスツルメント保持部から引き出されていることを検知している時のみ、管路洗浄スイッチによる指令信号を受け付けて管路洗浄シーケンスを開始する機能を更に備えた構成にしている管路自動洗浄機能を備えた医療装置。
【請求項２１】
請求項１３〜２０のいずれかにおいて、
上記管路洗浄シーケンス制御手段は、医療装置の診療台の昇降操作スイッチの操作信号、バックレストの傾動手段の操作スイッチの操作信号、フートコントローラのペダル操作信号のうち、少なくとも１つ以上の操作信号が検知でき、その操作信号を検知したときには、実行している管路洗浄を停止させる機能を更に備えた構成とした管路自動洗浄機能を備えた医療装置。
【請求項２２】
請求項１３〜２１のいずれかにおいて、
上記管路洗浄シーケンス制御手段は、診療台の昇降操作スイッチの操作信号、バックレスト傾動手段の操作スイッチの操作信号などの操作信号を受けても、管路洗浄が実行中である時には、インスツルメント保持部と排水受け部との相対的な位置関係を変化させる動作を禁止させる機能を更に備えた構成にしている管路自動洗浄機能を備えた医療装置。
【発明の詳細な説明】
【０００１】
【発明の属する技術分野】
本発明は、歯科用診療装置などによって代表される処置用インスツルメントを接続したフレキシブルチューブをインスツルメント保持部より導出させた医科、歯科用に使用される医療装置において、水や空気などを供給するためのフレキシブルチューブや本体部に内蔵された配管内の管路を洗浄する方法と、そのような管路を自動的に洗浄する新規な機能を有した医療装置、配管洗浄のために使用される汚染防止用補助キャップに関する。
【０００２】
【従来の技術】
歯科用診療装置などの医療装置においては、水や空気は、治療や処置をなす処置用インスルツメントの駆動に使用されており、その内部には水や空気を供給する多くの管路が存在している。したがって、これらの医療装置は、所定期間使用しない状態を放置していると、配管路内に水道水などが残留して、その内部に含まれていた塩素成分が、管路内に付着した雑菌や、管路材料などによって吸収され、殺菌性能が低下する。
【０００３】
そのため、これらの医療装置の水の配管路には、新しい清浄水を供給して洗浄することが望まれるが、これらの配管路内に残留水を残したまま長期間放置しておくと、雑菌を増殖させ、水アカを生成してしまい、不衛生である上に、それを除去することが極めて困難になる。
このような事態を未然に防止するため、この種の医療装置では、給水元から新鮮な水道水などの清浄水を定期的に配管路内に送り込んで排水し、管路洗浄を行っている。
ところが、従来より行われている管路洗浄では、排水受け部に処置用インスツルメントを並べて、すべての給水管路を一斉に開放して、管路洗浄を行っているため、医療装置に設けられたコップ給水部やベースン洗浄などの排出流量の多い部分に優先的に洗浄水が流れ込み、フレキシブルチューブの配管部などの細くて雑菌の繁殖のおそれの最も高い部分には十分な洗浄水が流れ込まず、不十分な洗浄に終わってしまうなどの不都合があった。
そこで、フレキシブルチューブの各々に洗浄水を順次送り込んで、管路洗浄することが考えられるが、そのような方法で医療装置の配管路の全体を洗浄するには相当な時間を要し、そのため管路洗浄を自動化しても実用には耐え難く、採用し難いものになっている。
【０００４】
【発明が解決しようとする課題】
本発明は、このような事情に鑑みてなされたもので、医療装置の管路洗浄を自動化した場合にも簡単でかつ迅速に行うことができる方法と、このような管路洗浄を自動化した場合にも安全に行うことの出来る新規な機能を有した医療装置、更には配管洗浄を、汚染防止の観点から衛生的な環境下で行うために使用される汚染防止用補助キャップを提供することを目的としている。
【０００５】
【課題を解決するための手段】
上記目的を達成するため本発明では、次のような特徴を有した配管洗浄方法が提案されている。
すなわち、請求項１において提案された配管洗浄方法は、給水手段と、この給水手段から供給された水をコップに給水するコップ給水部と、うがい水または処置用インスツルメントからの洗浄水を受ける排水受け部を備えるとともに、給水手段からの給水を、その継手部に着脱可能に接続された処置用インスツルメントに供給するための給水管路を内蔵させた、少なくとも１以上のフレキシブルチューブを、インスツルメント保持部より導出させた構造とし、且つ上記コップ給水部の排水流量を、上記フレキシブルチューブの排水流量より大とした医療装置であって、特に、フレキシブルチューブとして、給水手段からの給水をその継手部に着脱可能に接続された処置用インスツルメントに供給させる給水管路を少なくとも内蔵したものを有している医療装置に適用される。
この配管洗浄方法では、フレキシブルチューブのそれぞれを、排水受け部にセットしてから、給水手段を作動するが、コップ給水部の排水洗浄と、フレキシブルチューブの管路洗浄とは同時には行わず、コップ給水部の管路洗浄を優先的に行ってから、上記フレキシブルチューブの管路洗浄を実行することを特徴としている。
【０００６】
このような、本発明方法は、歯科用診療装置や耳鼻咽喉科診療装置、その他の医療用装置の全般に及ぶ。
医療装置のフレキシブルチューブは、少なくとも給水管路を内蔵しておればよい。処置用インスツルメントとしては、給水管路に加えて、給気管路、排気管路などを備えたものが可能であり、歯科用診療装置を例に採れば、スケーラ、スリーウエイシリンジ、エアータビンハンドピース、マイクロモータハンドピースなどを継手部に着脱可能に接続するフレキシブルチューブがそのまま適用される。
【０００７】
このような本発明の配管洗浄方法では、コップ給水部の排水洗浄と、フレキシブルチューブの管路洗浄とを別々に行うので、配管径の小さいフレキシブルチューブを一斉に並べて管路洗浄する際にも圧力低下を生じることがなく、安定した状態で行うことができる。
排水受け部にフレキシブルチューブをセットする際には、洗浄用排水タンクを使用して、放出した洗浄排水（残留水や新鮮な水）を飛散させないようにすることが望ましいが、継手部に処置用インスツルメントを接続した状態で行ってもよい。排水受け部にフレキシブルチューブをセットして、従前の方法で配管洗浄を行う他、後述するような汚染防止のための補助キャップを装着すれば、より衛生的な環境下で配管洗浄が行える。
【０００８】
配管洗浄では、給水元から供給された新鮮な水が給水管路系に残った古い残留水を押し出して放出するので、最初は給水管路に残った残留水が放出され、その後は新鮮な水が放出される。
また、このような医療装置は給水手段を備えているが、ここでいう給水手段は給水元に直結され、ハンドピースなどに給水を行う制御弁を備えた給水配管を含む概念である。治療、処置に体温程度に温めた水道水を使用するため内部にウオーマタンクを備え、そこから給水を行うものが広く使用されているが、給水元に直結され、その給水元から直接、水道水の供給を受けるものであってもよい。
【０００９】
請求項２では、給水手段を作動してコップ給水ユニットの排水洗浄を優先的に行う際、あるいはその直後に、排水受け部への排水洗浄も行うようにしており、最後にフレキシブルチューブの配管洗浄を行うことを要旨としている。
【００１０】
歯科用診療装置を例に採れば、排水受け部の管路洗浄としては、ベースン自動洗浄などが付加されるが、このようなベースン自動洗浄を行った後に、フレキシブルチューブから洗浄排水を放出させて、配管洗浄を行うようにしている。
請求項３では、請求項１又は２において、フレキシブルチューブのそれぞれは、排水受け部に置かれた洗浄用排水タンクにセットして、一斉に管路洗浄を行うようにしている。
【００１１】
この配管方法では、洗浄用排水タンクが使用され、フレキシブルチューブを洗浄用排水タンクにセットしてから洗浄排水を放出させることによってフレキシブルチューブの継手部に排水が飛散するのを防止している。フレキシブルチューブは、従来の方法と同様に処置用インスツルメントを接続したまま行ってもよい。
請求項４の配管洗浄方法は、医療装置が、吸引手段を備え、更に先端に処置用インスツルメントとしてバキュームシリンジを接続したフレキシブルチューブを導出させているものである場合に適用される。
【００１２】
この配管方法では、洗浄用排水タンクを排水受け部に置き、この洗浄用排水タンクに処置用インスツルメントを接続したフレキシブルチューブをセットし、洗浄排水を放出させる際に、バキュームシリンジを洗浄用排水タンクにセットして、吸引手段を作動する。
バキュームシリンジは、洗浄用排水タンク内を吸引するので、フレキシブルチューブより洗浄用排水タンク内に放出された洗浄排水は、そのまま吸引されることになり、洗浄排水に水あかなどを含んでいる場合にも排水受け部（例えばベースン）を汚染するがことがない。
【００１３】
請求項５〜８では、請求項１〜４のいずれかの医療装置の配管洗浄方法を実行するにおいて、フレキシブルチューブを洗浄する際に、医療装置から導出させたフレキシブルチューブの継手部に装着される汚染防止用補助キャップを提案している。
すなわち、請求項５では、医療装置から導出させたフレキシブルチューブのうち、給水管路を内蔵させたものに装着して使用される。
この補助キャップは、フレキシブルチューブの継手部から処置用インスツルメントを取り外して装着される筒状本体を有しており、この筒状本体は、先端に開口を形成し、その内面には、フレキシブルチューブの継手部が装着されたときに、先端開口をフレキシブルチューブの給水管路に水密的に通じさせる内周壁を形成した構造になっている。
【００１４】
また、請求項６に提案する汚染防止用補助キャップは、医療装置から導出させたフレキシブルチューブのうち、給水管路と、給気管路とを内蔵させたものに装着して使用される。
この補助キャップは、フレキシブルチューブの継手部から処置用インスツルメントを取り外して装着される筒状本体を有しており、この筒状本体は、外周壁には排水孔口を形成するとともに、先端には開口を形成しており、更にその内面には、フレキシブルチューブの継手部が装着されたときに、排水孔口をフレキシブルチューブの給水管路に水密的に通じさせるとともに、先端開口をフレキシブルチューブの給気管路に分離させて通じさせる凹凸部を有した内周壁を形成した構造になっている。
【００１５】
更に請求項７，８は、排水孔口に弾性Ｏリングを嵌入させて構成した逆流防止弁体や、逆流防止エアー弁を設けて、汚染防止を更に効果的にした汚染防止用補助キャップを提案している。
すなわち、請求項７では、補助キャップは、排水孔口を開口した外周壁にリング状凹溝を形成し、その凹溝に弾性Ｏリングを嵌入させて構成された逆流防止弁体を設けた、先端を閉塞した筒状本体を有しており、その筒状本体の内面には、フレキシブルチューブの継手部が装着されたときには、上記排水孔口をフレキシブルチューブの給水管路に水密的に通じさせる凹凸部を有した内周壁を形成した構造としている。
【００１６】
この補助キャップによれば、医療装置の給水手段を作動すれば、フレキシブルチューブの給水管路から排出された洗浄排水の排水圧で弾性Ｏリングを拡径させ、そのときに弾性Ｏリングと凹状溝との間に生じる隙間から洗浄排水を放出するが、給水手段の作動を停止したときには、洗浄排水の排水圧が下がるため、拡径していた弾性Ｏリングが復元し、上記した隙間を閉じる。そのため、排出された洗浄排水は補助キャップに逆流するのが防止される。
【００１７】
また、請求項８では、補助キャップは、排水孔口を開口した外周壁にリング状凹溝を形成し、その凹溝に弾性Ｏリングを嵌入させて構成された逆流防止弁体を設けるとともに、先端には、排気エアーの加圧によって排気口を開く常閉型の逆流防止エアー弁を設けた筒状本体を有しており、その筒状本体の内面には、フレキシブルチューブの継手部が装着されたときには、上記逆流防止弁体の排水孔口をフレキシブルチューブの給水管路に水密的に通じさせるとともに、上記逆流防止エアー弁をフレキシブルチューブの給気管路に分離させて通じさせる凹凸部を有した内周壁を形成した構造としている。
【００１８】
このような補助キャップによれば、医療装置の給水手段と給気手段を作動すれば、フレキシブルチューブの給水管路より排出された洗浄排水の排水圧で弾性Ｏリングが拡径されて、弾性Ｏリングと凹状溝との間に隙間を生じて、その隙間から洗浄排水が放出されるとともに、フレキシブルチューブの給気管路より供給されたエアーの流圧が先端に設けた逆流防止エアー弁を開き、エアーを排気口より外部に放出させる。
【００１９】
また、給水手段、給気手段の作動が停止されたときには、弾性Ｏリングは元の状態に復帰するので、上記した隙間は閉じて洗浄排水の放出は停止され、一方の常閉型の逆流防止エアー弁も、排気エアーの排気圧の低下につれて自動的に閉じるため、外気が筒状本体に流入するのが防止される。
請求項９〜１２では、医療装置から導出させたフレキシブルチューブの継手部から処置用インスツルメントを取り外し、補助キャップを装着して行う配管洗浄方法を提案している。
【００２０】
すなわち、請求項９では、請求項１〜４のいずれかにおいて提案された方法で配管洗浄を行う際に、請求項５に記載した補助キャップを装着して行われる。
また、この配管洗浄方法では、フレキシブルチューブの継手部は補助キャップで汚染が防止されるだけでなく、補助キャップの外周壁に形成された排水孔口から外周壁を伝って排出されるので、洗浄排水が他に飛散し、汚染させるようなこともない。
【００２１】
請求項１０では、請求項１〜４のいずれかにおいて提案される方法で配管洗浄を行う際に、請求項６に記載した補助キャップを装着して行われる。
この配管洗浄方法では、給水管路に加えて給気管路を内蔵した処置用インスツルメントに接続される継手部を有したフレキシブルチューブの継手部から処置用インスツルメントを取り外し、補助キャップを装着してから、配管洗浄が行われる。この方法で使用される請求項７に記載の補助キャップは、外周壁に排水孔口を形成するとともに、その先端に開口を形成した筒状本体を有しているので、医療装置の給水手段と給気手段を作動させることによって、補助キャップの先端開口よりエアーを排出させながら、排水孔口より洗浄排水を排出させることが出来、このため洗浄排水が補助キャップ内に逆流することも未然に防止される。
【００２２】
更に請求項１１，１２は、請求項７，８において提案された排水孔口に弾性Ｏリングを嵌入させて構成した逆流防止弁体や、逆流防止エアー弁を設けた構造の補助キャップを用いて行う配管洗浄方法が提案されている。
すなわち、請求項１１では、請求項１〜４のいずれかにおいて提案される方法で配管洗浄を行う際に、請求項７に記載された補助キャップを装着して行われる。この配管洗浄方法では、フレキシブルチューブのうち、給水管路を内蔵したものには、各々の継手部から処置用インスツルメントを取り外し、代わって、排水孔口を開口した外周壁にリング状凹溝を形成し、その凹溝に弾性Ｏリングを嵌入させて構成された逆流防止弁体を設けた、先端を閉塞した筒状本体を有する請求項７に記載の補助キャップを装着することによって、フレキシブルチューブからの洗浄排水は補助キャップの逆流防止弁より放出させる。
【００２３】
また、請求項１２では、請求項１〜４のいずれかにおいて提案される方法で配管洗浄を行う際に、請求項８に記載された補助キャップを装着して行われる。
この配管洗浄方法では、フレキシブルチューブのうち、給水管路と給気管路を内蔵したものには、各々の継手部から処置用インスツルメントを取り外し、代わって、排水孔口を開口した外周壁にリング状凹溝を形成し、その凹溝に弾性Ｏリングを嵌入させて構成された逆流防止弁体を設けるとともに、先端には加圧エアーの圧力によって排気口を開く常閉型の逆流防止エアー弁を設けた筒状本体を有する補助キャップを装着するので、補助キャップの逆流防止エアー弁よりエアーを放出しながら、補助キャップの逆流防止弁体から洗浄排水を放出することによって、配管洗浄が行われ、医療装置の給水手段、給気手段の作動を停止すれば、補助キャップの逆流防止弁体からの洗浄排水の放出は逆流を生じさせることなく停止され、同時にエアーの排出も逆流防止エアー弁を自動的に閉じて停止されるので、補助キャップを通じてフレキシブルチューブに外気が流入することも防止される。
【００２４】
また、同時に提案される本発明の医療装置は、配管洗浄を全自動で行う機能を有しており、以下のような構成を特徴としている。
すなわち、請求項１３では、医療装置は、給水手段を内蔵するとともに、先端にはハンドピース、スケーラ、スリーウエイシリンジなどの処置用インスツルメントを着脱可能に接続する継手部を有したフレキシブルチューブをインスツルメント保持部より引出し可能に保持させ、かつコップ給水部と、排水受け部とを備えており、更に管路洗浄指令スイッチと、洗浄対象となるすべてのフレキシブルチューブのインスツルメント保持部からの引出しを検出するフレキシブルチューブ引出検知手段と、管路洗浄シーケンス制御手段とを備えている。
【００２５】
この医療装置では、管路洗浄シーケンス制御手段が、管路の自動洗浄を実行する前に、安全に行うための前処理条件が成立しているかどうかを判別しており、その条件が成立している場合に限って管路洗浄シーケンスが実行される。
そして、この管路洗浄シーケンスでは、コップ給水部の管路洗浄が優先的に行われ、その後にフレキシブルチューブの管路洗浄が行われている。
【００２６】
請求項１４では、医療装置は、請求項１３において記載された構成に加えて、吸引手段と、この吸引手段の作動によって吸引を行うバキュームシリンジとを更に備えている。
この医療装置では、フレキシブルチューブを洗浄用排水タンクにセットしたときには、バキュームシリンジも洗浄用排水タンクをセットし、更に吸引手段を作動させることによって、フレキシブルチューブより洗浄排水タンク内に放出された洗浄排水はバキュームシリンジによって吸引排出させる構成としている。
【００２７】
このような医療装置では、バキュームシリンジは、フレキシブルチューブより洗浄用排水タンク内に放出された洗浄排水をそのまま吸引するので、洗浄排水に水あかなどを含んでいる場合にも排水受け部（例えばベースン）を汚染することなく、バキュームタンク内に吸引して、水と分離して排出できる。
請求項１５では、請求項１３，１４に記載された治療機器において、管路洗浄シーケンス制御手段は、コップ給部の管路洗浄を行う際、あるいはその直後には、更に排水受け部の洗浄も自動的に行うようにしている。
【００２８】
医療装置が歯科用診療装置である場合、ベースンなどの自動洗浄を、コップ給水部の管路洗浄と同時にあるいは、その直後に行うことによって、排水流量の多い管路部分の洗浄を先に実行し、配管径の小さいフレキシブルチューブの管路を一斉に洗浄する際の水圧低下を防止し、すべての配管洗浄が迅速にかつ十分に実施できるようになっている。
【００２９】
請求項１６では、請求項１３〜１５のいずれかに記載された医療装置において、排水受け部には洗浄用排水タンクを置き、この洗浄用排水タンクにフレキシブルチューブをセットして、洗浄用排水タンク内に洗浄排水を排出させる構成となっている。
排水受け部に洗浄用排水タンクを置き、この洗浄用排水タンクにフレキシブルチューブをセットして洗浄排水を放出することによって、洗浄排水に水あかや汚物が含まれている場合にも、排水受け部を汚染することがない。
また、洗浄用排水タンクで受け止めるので、洗浄排水がその他の部分へ飛散することも防止できる。
【００３０】
請求項１７は、請求項１３〜１６のいずれかにおいて、管路洗浄シーケンス制御手段を更に具体化した医療装置を提案している。
この管路洗浄シーケス制御手段では、給気手段を更に備え、給水手段、給気手段からフレキシブルチューブを通じて、各種の処置用インスツルメントに給水を行うためのエアー作動弁を設けた給水配管制御系と、各種の処置用インスツルメントに給気を行うためのエアー作動弁を設けたエアー配管制御系と、これら給水配管制御系、エアー配管制御系の電磁弁を開閉制御する論理制御回路を備えている。
【００３１】
給水配管制御系、エアー配管制御系の電磁弁を開閉制御する論理制御回路は、マイクロコンピュータなどに予め記憶された制御プログラムによって、順序制御され、本発明による配管洗浄方法が実施される。
また、請求項１８は、請求項１７に記載されたエアー配管制御系と給水配管制御系の各々の構成を更に具体化させた医療装置を提案している。
【００３２】
この医療装置では、エアー配管制御系と給水配管制御系の各々は、共通のパイロットエアー作動弁に加えて、エアー主制御弁、給水主制御弁をそれぞれが備えるとともに、パイロットエアー作動弁の上流側と給水主制御弁の下流側との間には、残留水排出制御弁を並列に配設した構成としている。
このような構成によれば、エアー配管制御系と上記給水配管制御系の各々は、共通のパイロットエアー作動弁によって制御されるエアー主制御弁と、給水主制御弁とを備えているので、各制御系のエアー作動弁が故障した際にも２重の安全化が図れ、また、パイロットエアー作動弁、エアー主制御弁、給水主制御弁は、いずれも電磁弁で構成されているので、管路洗浄シーケンス制御手段の論理制御回路によって駆動される。また、管路を自動洗浄する際には、残留水排出制御弁を開くだけの簡易な制御によって、各フレキシブルチューブに接続された処置用インスツルメントの給水管路に設けたエアー作動弁を一斉に開いて行うことができる。
【００３３】
更に、請求項１９では、請求項１７，１８に記載された医療装置において、エアー配管制御系は、上記フレキシブルチューブのうち、その継手部に着脱可能に接続された処置用インスツルメントに供給するエアー流量を制御するためのサーボ弁を設けた給気管路を含んでおり、このサーボ弁は上記管路洗浄シーケンス制御手段が上記給気手段を作動するときに開く構成としている。この場合、給気管路に十分なエアーを送り込むためには、全開することが望ましい。
管路洗浄シーケンス制御手段が給気手段を作動するときに、このサーボ弁を開くことによって、フレキシブルチューブの給気管路には十分なエアーを送り込んで給気管路などに排出された洗浄排水が逆流入するのを防止している。このサーボ弁は、通常の治療時には、フートコントローラの踏み込み量に応じて開度を調整して、ハンドピースの回転数を制御する。
【００３４】
また、請求項２０〜２２には、管路洗浄シーケンス制御手段による全自動制御を安全に実行するため、種々の機能を備えた医療装置を提案している。
請求項２０は、請求項１３〜１９のいずれかにおいて、洗浄の対象となるすべての各種インスツルメントがインスツル保持部から引き出されたときにのみ、管路洗浄指令スイッチによる指令信号を受付けて、管路洗浄シーケンスを開始させる安全機能を備えたものである。
【００３５】
また、請求項２１では、請求項１３〜２０のいずれかにおいて、管路洗浄シーケンス制御手段は、医療装置の診療台の昇降操作スイッチの操作信号、バックレストの傾動手段の操作スイッチの操作信号、フートコントローラのペダル操作信号のうち、少なくとも１以上の操作信号が検知でき、その操作信号を検知したときには、実行中の管路洗浄を緊急停止させる機能を更に備えており、更に請求項２３では、請求項１４〜２２において、管路洗浄シーケンス制御手段は、医療装置の診療台の昇降操作スイッチの操作信号、バックレストの傾動手段の操作スイッチの操作信号などの操作信号を受けても、管路洗浄が実行中であるときには、インスツルメント保持部と排水受け部との相対的な距離が変化するような動作を禁止させる機能を更に備えた構成にしている。
【００３６】
したがって、請求項２１に記載のものは、管路洗浄シーケンス制御手段が、配管洗浄を実行している時に、オペレータが通常の診療、治療時になされる操作を行ったときには、実行中の管路洗浄を緊急停止させる機能があり、請求項２３に記載のものは、管路洗浄シーケンスが実行されている途中で、オペレータが診療、治療時の通常の操作を行ったときには、これらの操作は受付けずに、無効にすることによって、配管洗浄時における医療装置の不用意な動作を禁止して、一層の安全性を高めるものである。
【００４１】
【発明の効果】
以上の説明より理解されるように、本発明によれば、次のような効果が奏される。
請求項１〜４において提案された本発明の配管洗浄方法によれば、いずれも、洗浄対象となるフレキシブルチューブを、排水受け部にセットしてから、給水手段を作動し、排水流量の大きいコップ給水部の排水洗浄と、排水流量の小さいフレキシブルチューブの管路洗浄とを時間を異ならせて別々に行うので、フレキシブルチューブの給水管路の洗浄時には圧力低下を生じさせることなく、医療装置の配管洗浄を安定した状態で簡易かつ迅速に行うことが出来る。
【００４２】
特に、排水流量の大きいコップ給水部の排水洗浄を先に行ってから、排水流量の小さいフレキシブルチューブの管路洗浄を行うので、洗浄効率もよく、すべての管路洗浄を、全自動化された一連のシーケンスのなかでスムーズに行うことが出来る。
また、請求項２では、排水流量の大きいコップ給水部の排水洗浄を行う際、あるいはその直後には、更に排水受け部への排水洗浄も行い、最後にフレキシブルチューブより管路洗浄を行うので、医療装置のすべての配管洗浄を、全自動化された一連のシーケンスのなかで、安定した状態で簡易かつ迅速に行うことが出来る。
【００４３】
更に、請求項３では、請求項１又は２において、洗浄対象となるフレキシブルチューブのそれぞれは、排水受け部に置かれた洗浄用排水タンクにセットして、一斉に管路洗浄を行うので、洗浄排水に水あかや汚物が含まれていても、排水受け部に直接放出することなく、洗浄排水タンクで受け止めることができ、しかもフレキシブルチューブの継手部に放出された洗浄排水が飛散するのを防止出来る。
【００４４】
請求項４では、医療装置が吸引手段を備え、更に先端に処置用インスツルメントとしてバキュームシリンジを接続したフレキシブルチューブを導出させているものである場合に適用され、この方法では、フレキシブルチューブより洗浄用排水タンク内に一斉に放出された洗浄排水を、バキュームシリンジで吸引するので、洗浄排水に水あかなどを含んでいる場合にも排水受け部を汚染することなく、バキュームタンクに吸い込んで排出することが出来き、より一層衛生的な環境下で配管洗浄が行える。
【００４５】
請求項５〜８のいずれかにおいて提案された本発明の汚染防止用補助キャップによれば、いずれも処置用インスツルメントを取り外したフレキシブルチューブの継手部に装着して使用される。
請求項５では、治療装置から導出させたフレキシブルチューブが、給水管路を内蔵させたものである場合に、そのフレキシブルチューブの継手部に装着して管路洗浄を行うので、フレキシブルチューブの継手部は補助キャップで保護され、汚染が防止される。
生的な環境下で配管洗浄が行える。
【００４６】
また、洗浄排水も補助キャップの外周壁に形成された排水孔口から外周壁を伝って洗浄用排水タンク内に排出されるので、他に飛散させて汚染することがなく、衛生的な環境下で管路洗浄が安心して行える。
請求項６では、治療装置から導出させたフレキシブルチューブが、給水管路と、給気管路とを内蔵させたものである場合に、そのフレキシブルチューブの継手部に装着して使用され、補助キャップの外周壁に排水孔口を形成しているだけでなく、補助キャップの先端開口よりエアーを排出させているので、処置用インスツルメントを装着したままの状態で洗浄排水を放出させる場合にも、補助キャップの排水孔口より排出された洗浄排水がフレキシブルチューブの給気管路などに逆流入させることなく、衛生的な環境下で管路洗浄を安心して行うことが出来る。
【００４７】
請求項７では、補助キャップには、弾性Ｏリングを用いた逆流防止弁体を設けているので、洗浄排水の終了時に、排出させた洗浄排水を補助キャップを通じて、フレキシブルチューブに逆流させるおそれがない。
また、請求項８では、更に逆流防止エアー弁を設けているので、フレキシブルチューブの給気管路から供給されたエアーの排出が終了した時にも、外気を吸い込むことがない。したがって、処置用インスツルメントを装着したままの状態で洗浄排水を放出させる場合にも、補助キャップの排水孔口より排出された洗浄排水がフレキシブルチューブの給気管路などに逆流入することなく、衛生的な環境下で管路洗浄を安心して行うことが出来る。
うことが出来る。
【００４８】
請求項９〜１２のいずれかにおいて提案された本発明の配管洗浄方法によれば、請求項５〜８に記載の汚染用補助キャップを用いて、フレキシブルチューブの配管洗浄を行うため、洗浄排水が、飛散したり、補助キャップを通じて内部に逆流入するおそれはない。また外気を吸い込むなどして、フレキシブルチューブを汚染させるおそれもなく、衛生的な環境で配管洗浄を行うことが出来る。
【００４９】
請求項１３〜１６のいずれかにおいて、同時に提案される本発明の医療装置によれば、次のような効果が奏される。
すなわち、いずれも配管洗浄指令スイッチを操作するだけで、本発明方法による配管洗浄を自動的に行うことができるばかりでなく、配管洗浄は、事前に配管洗浄を行うための各種の条件が適正に整っているかどうかを判別してから実行されるために、安全性が高い。
【００５０】
また、管路洗浄シーケンス制御手段は、マイクロコンピュータなどに予め記憶された制御プログラムによって簡易に構成でき、請求項１〜４に記載された本発明による配管洗浄方法が実施される。
また、請求項１７，１８に記載された医療装置によれば、管路洗浄シーケンス制御手段を構成する、エアー配管制御系と上記給水配管制御系の各々は、共通のパイロットエアー作動弁によって制御されるエアー主制御弁と、給水主制御弁とを備えているので、各制御系のエアー作動弁が故障した際にも２重の安全化が図れ、また、パイロットエアー作動弁、エアー主制御弁、給水主制御弁は、いずれも電磁弁で構成できるので、マイクロコンピュータなどを用いて制御ができる。
【００５１】
また、自動洗浄の実行時には、残留水排出制御弁を開くだけの簡易な制御によって、各フレキシブルチューブに接続された処置用インスツルメントの給水管路に設けたエアー作動弁を一斉に開いて管路洗浄することができる。
更に、請求項１９に記載された医療装置によれば、シーケンス制御手段が給気手段を作動するときにサーボ弁を開く構成にしているので、フレキシブルチューブから管路洗浄を一斉に行う際に、フレキシブルチューブの給気管路には十分なエアーを送り込むことができ、給気管路などに排出された洗浄排水が逆流入するのを効果的に防止出来る。
【００５２】
また、請求項２０に記載された医療装置によれば、管路洗浄シーケンス制御手段は、洗浄を行うすべての各種インスツルメントがインスツルメント保持部からの引出しを検知し、管路洗浄の準備が行われていない限り、管路洗浄スイッチによる指令信号を受け付けても管路洗浄シーケンスを開始しないので、更に安全性が図れる。
【００５３】
また、請求項２１に記載された医療装置によれば、管路洗浄シーケンス制御手段は、管路洗浄が実行されている時に、診療台の昇降操作、バックレストの傾動操作などのオペレータが通常の診療、治療時に行う操作をしたときには、実行中の管路洗浄を停止することができるので、管路洗浄を緊急停止する場合にも簡易な行うことが出来る。
【００５４】
更に、請求項２２に記載された医療装置によれば、管路洗浄シーケンスが実行されている途中で、診療台の昇降操作、バックレストの傾動操作などのオペレータが通常の診療、治療時に行う操作をしても、配管洗浄のためにインスツルメント保持部から排水受け部にまで延ばされたフレキシブルチューブを移動させ、配管洗浄を阻害させる要因となる動作は禁止されるので、配管洗浄時における医療装置の不用意な動作を禁止して、一層の安全化が図れる。
【００５８】
【発明の実施の形態】
以下に、本発明の実施例について図とともに説明する。
まず、本発明の配管洗浄方法について説明する。
図１は、本発明の配管洗浄方法の基本動作の手順をフローチャートをもって示すものであり、図２は、本発明方法を実施する医療装置として、歯科用診療装置を示す外観図である。
【００５９】
この医療装置Ａは、図２に見るように、上下に昇降可能なシート１に、リクライニング機能を有したバックレスト４を備えており、シート１の傍らには、コップ給水部３１を設けた排水受け部となるベースン３を設け、バックレスト４の肩部に設けたインスツルメント保持部４ａからは、それぞれの先端に治療に必要な各種の処置用インスツルメントを着脱可能に接続した複数のフレキシブルチューブＤ，Ｄ’を収容可能に導出している。
また、シート１の基部１ａからは、先端にスケーラを接続したフレキシブルチューブＤ”を導出させている。
【００６０】
バックレスト４の一方の側部には、配管洗浄指令スイッチＳＷが設けられており、シートの基部１ａには不図示のコードによって外部から電源が供給されている。ここに、配管洗浄指令スイッチＳＷは、本例のように、別個のスイッチを設けても良いし、後述する洗浄用排水タンク２やベースン３の洗浄スイッチ（不図示）と共用する構成にしてもよい。その場合、例えば、通常の操作ではタンク洗浄が行われ、３秒間押し続けたときに、配管洗浄指令が有効となるようにしてもよい。
【００６１】
また、シート１の基部１ａからは給水導管が引き出され、水道などの給水元から清浄水が供給されるようになっており、更に空気供給源であるエアーコンプレッサーや、バキュームタンクを有した吸引手段などを内蔵している。
一方のベースン３は排水管に接続され、ベースン３に放出された洗浄排水は排水管を通じて外部に排水されている。
【００６２】
これらのフレキシブルチューブＤ，Ｄ’は、バックレスト４の肩部から取り出され、それらの先端に処置用インスツルメントＨａ，Ｈｓを接続したままの状態で、図３に示したように、ベースン３に置かれた洗浄用排水タンク２の孔部２２，２２’に、処置用インスツルメントＨａ，Ｈｓを挿嵌させて配管洗浄が行われる。
なお、この実施例では、排水受け部として、うがい水を受けるベースンを説明したが、図４（ａ），（ｂ）に示したように、処置用インスツルメントＨａ・・・を取り外した状態でフレキシブルチューブＤの継手部６０を挿入する挿入孔３２ａを形成した洗浄トレー３２であってもよい。
【００６３】
この種の洗浄トレーは、図２に示したようないわゆるチェアーマウントタイプとして、医療装置本体Ａの側方に、テーブル様に設けたインスツルメント保持部４ａなどに着脱可能に取り付けて使用され、洗浄後は、洗浄トレー３２を取り外し、トレー３２内の洗浄排水を捨てる構成になっているが、このようなものに限られない。
【００６４】
ついで、配管洗浄方法について説明する。この洗浄方法の基本手順は、図１のステップ１００〜１１０に示されている。配管洗浄は、バックレスト４の肩部などの医療装置本体部より導出させたフレキシブルチューブＤ，Ｄ'，Ｄ"の先端より洗浄排水を放出させて行われるが、その際に、洗浄排水が他へ飛散しないようにするため、洗浄用排水タンクを使用したり、フレキシブルチューブＤ，Ｄ'，Ｄ"のそれぞれの継手部より処置用インスツルメントＨａ，Ｈｓ・・・を取り外し、汚染防止のための補助キャップを装着して、洗浄を行う。
【００６５】
この場合に使用する洗浄用排水タンクや補助キャップの詳細については後述する。
洗浄すべきフレキシブルチューブＤ，Ｄ’のすべてを、洗浄用排水タンクにセットした後は、バックレストの適所に設けたメインスイッチ（不図示）をオンにして電源を投入し、ついでバックレスト４の側部に設けた配管洗浄指令スイッチＳＷを押圧操作する。
すると、医療装置Ａに内蔵された管路洗浄シーケンス制御手段が作動され、後述するような手順で配管制御系を順序制御して排水洗浄が実行される。
【００６６】
すなわち、この管路洗浄シーケンスでは、最初には、給水弁が開かれ、ついでコップ給水部３１のコップ給水弁が開かれると、給水元からコップ給水部３１に通じるすべての配管路は、新鮮な洗浄水の供給を受けるため、配管路の残留水は押し出され、代わって新鮮な洗浄水が入れ替わる。
このような管路洗浄に必要な時間はタイマなどで設定できるが、配管路に付着した雑菌や水あかの除去を効果的にするためには、新鮮な洗浄水を十分な時間配管路内に通じ、洗浄水には必要に応じて適宜殺菌剤を混入させて配管路内を通じることが望ましい。
【００６７】
図５は、コップ給水部３１の配管洗浄を行っている状態を示しており、コップ給水部３１から放出された洗浄排水は排水用洗浄タンク２の受け穴２７よりタンク内に受け止められている。
このようにして、コップ給水部３１の配管洗浄を行う際に、医療装置Ａより導出させたフレキシブルチューブＤ，Ｄ’，Ｄ”に給気管路を内蔵したものが含まれている場合には、排水した洗浄排水が処置用インスツルメントＨａ，Ｈｓ・・・の注水口から逆流入するのを防止するため、管路洗浄シーケンス制御手段は、更にサーボ弁を全開するなどして、フレキシブルチューブＤ，Ｄ’，Ｄ”の先端に接続した処置用インスツルメントＨａ，Ｈｓ・・・のエアー排出口などよりエアーを排出させることが望ましい。
【００６８】
コップ給水部３１の排水洗浄が終了した後は、必要に応じて排水受け部３の排水洗浄を行い、排水受け部３に関係したすべての配管を洗浄する。
この場合、コップ給水部３１の配管洗浄と同様にして、自動ベースン洗浄弁を開き、ベースン３に通じるすべての配管路に給水元から新鮮な洗浄水を供給して配管路の残留水を押し出し、代わって新鮮な洗浄水と入れ替える。
この場合も入れ替えに必要な時間は、タイマなどで設定することができるが、配管路に付着した雑菌や水あかの除去を効果的にするためには、新鮮な洗浄水を十分な時間、配管路内に通じたり、洗浄水には適宜殺菌剤を混入させて配管路内を通じることが望ましい。
【００６９】
特に、殺菌剤を使用する場合は、給水元の弁と殺菌剤を貯留したタンクの弁を開いて、フレキシブルチューブや医療装置内部の給水管路に殺菌剤と水を十分に供給してから、給水元の弁と、タンクの弁を所定時間閉じた状態に保持して、殺菌剤を十分に行き渡らせてから、タンクの弁は閉じた状態を保持して、給水元の弁を開き、新鮮な水を導入して、すすぎ排水すればよい。
【００７０】
このようにして、フレキシブルチューブと、これに関係する配管路以外の管路洗浄が終了した後は、洗浄用排水タンク２にセットされているフレキシブルチューブＤ，Ｄ’，Ｄ”より洗浄排水を放出させる。
フレキシブルチューブＤ，Ｄ’，Ｄ”を通じての洗浄排水の一斉放出は、管路洗浄シーケンス制御手段が、給気、給水、吸引、排水のために医療装置に組み込まれている後述するような配管制御系の主たる制御弁を開閉させることによって行われるが、この場合、通常の治療時とは異なり、後述するように、フレキシブルチューブＤ，Ｄ’，Ｄ”に連なるすべての給水管路に設けられたエアー作動弁を一斉に開く残留水排出制御弁を設ければよい。
【００７１】
フレキシブルチューブＤ，Ｄ'，Ｄ"より洗浄排水を一斉に排出する時間は、コップ給水部３１の配管洗浄や排水受け部３の排水洗浄と同様にして、タイマなどで設定でき、配管路に付着した雑菌や水あかの除去を効果的にするためには、新鮮な洗浄水を十分な時間通じたり、洗浄水に適宜殺菌剤を混入させて配管路内を通じることが望ましい。
なお、フレキシブルチューブＤ，Ｄ'，Ｄ"から洗浄排水を排出する際、後記するようにバキュームシリンジＨｂをタンク２の吸引孔部２６に挿入し、これを作動することによって、タンク２内に排出された洗浄排水や汚物などを順次吸引し、排出する。このようにすれば、排水受け部３が汚染されることが少ないので、洗浄排水を放出した後に排水受け部３などを排水洗浄させる必要がない。
【００７２】
以上のようにして、フレキシブルチューブＤ，Ｄ’，Ｄ”より所定時間の間、洗浄排水を放出させた後は、すべてのフレキシブルチューブＤ，Ｄ’，Ｄ”を洗浄用排水タンク２から取り外し、洗浄用排水タンク２を片付け、更にすべてのフレキシブルチューブＤ，Ｄ’，Ｄ”を元の収納位置、つまりインスツルメント保持部などに戻し、すべての手順が終了する。
【００７３】
ついで、全自動型の管路自動洗浄機能を備えた本発明の医療装置について、管路洗浄シーケンス制御手段、配管制御系の具体的な構成をもとに詳しく説明する。
い。
【００７４】
図６はマイクロコンピュータシステムを利用して構成された管路洗浄シーケンス制御手段の要部をブロック図をもって示す図、図７は医療装置に組み込まれている配管制御系の系統図である。
管路洗浄シーケンス制御手段Ｂは、図６に見るように、マイクロコンピュータを構成するＣＰＵ１０を設けており、このＣＰＵ１０のプログラム制御によって論理制御回路１１を順序制御することによって、論理制御回路１１に接続したパイロットエアー作動弁駆動回路１２、エアー主制御弁駆動回路１３、給水主制御弁駆動回路１４、残留水制御弁駆動回路１５を駆動して、電磁弁として設けられたパイロットエアー作動弁、エアー主制御弁、給水主制御弁、残留水制御弁の開閉を行っており、これらの駆動回路１２〜１５には、それぞれの電磁弁をオン、オフ制御するためＤＣ２４Ｖの電源が供給されている。
【００７５】
図７に示された配管制御系は、歯科用診療装置に組み込まれるものを想定しており、処置用インスツルメントとしては、エアータービンハンドピースＨａ、マイクロモータハンドピースＨｍ、スリーウエイシリンジＨ３、バキュームシリンジＨｂ、スケーラＨｃなどを設けており、更に給水手段から供給された水をコップに給水するためのコップ給水部３１を設けるとともに、排水受け部として、うがい水または処置用インスルツメントからの洗浄水を受けるためのベースン３を設けている。
【００７６】
本発明による配管洗浄は、このような配管制御系の給水管路、給気管路、吸引管路、排水管路などに組み込まれた主たる電磁弁を図６に示した管路洗浄シーケンス制御手段Ｂによって順次制御することによって行われており、図８の（ａ）〜（ｍ）は、配管制御系の主たる部分の動作手順を示している。
以下では、配管制御系の構成と、その動作について、更に詳細に説明する。
【００７７】
まず、給気管路系統について説明する。この給気管路は、図中、実線（駆動用）及び点線（制御用）で示されている。
主給気管路ＰＡは、空気供給源に接続され加圧エアーを受けており、給気元弁Ｖａ、フィルタｆ、減圧弁Ｖ１０を設けている。ここに、フィルタｆは空気中のチリや細菌などを除去し、減圧弁Ｖ１０は、給気圧が過大になるのを防止するために設けられている。
【００７８】
また、主給気管路ＰＡは、洗浄制御用バイパス管路ＰＡｄを分岐させており、このバイパス管路ＰＡｄには、バイパス安全弁Ｖを介して、残留水排水制御弁ＳＶｄを設けている。
ここに、残留水排水制御弁ＳＶｄは、オフのときには、排気ポート側に切換わっており、後述するエアー作動弁Ｖ２〜Ｖ４に通じる給気管路を大気開放にしているが、配管洗浄時には、オンになり、主給気管路からの加圧エアーをエアー作動弁Ｖ２，Ｖ３，Ｖ４に供給し、これらを開くことによって、スケーラＨｃ，マイクロモータハンドピースＨｍ及びエアータービンハンドピースＨａに通じる給水管路に、給水源からの給水を可能にして、これらのインスツルメントＨｃ，Ｈｍ，Ｈａを接続したフレキシブルチューブＤ”，Ｄに一斉に給水を行う。
【００７９】
主給気管路ＰＡは、さらに延び、一方は流量調整弁Ｖａを介して、フレキシブルチューブＤを通じてスリーウェイシリンジＨ３に延びており、他方は、更に分岐してパイロットエアー作動弁ＳＶｐと、三方切換弁Ｖｏに導びている。
ここに、このスリーウエイシリンジＨ３には、給気と給水を同時に許容する吐水レバー（不図示）が設けられており、この吐水レバーを操作することにより、水と空気を混合させてスプレー状にして吐出させることができる。
後述する洗浄用排水タンク２では、補助突片２５によってスリーウエイシリンジＨ３の吐水レバーを押圧状態に保持して、洗浄排水を放出させている。
【００８０】
また、パイロットエアー作動弁ＳＶｐの下流側には、大気開放となるフィルタｆを終端に設け、流量調整弁Ｖｂを設けた管路を接続しており、この管路には、エアー主制御弁ＳＶａが上流側になるように、エアー主制御弁ＳＶａと給水主制御弁ＳＶｗとを分岐させて接続している。
また、パイロットエアー作動弁ＳＶｐは、主制御弁ＳＶａ、給水主制御弁ＳＶｗの上流側にあるので、エアー主制御弁ＳＶａ、給水主制御弁ＳＶｗのいずれがオンになっても、パイロットエアー作動弁ＳＶｐがオンにならない限り、これらの弁ＳＶａ，ＳＶｗがオンになることがない。
したがって、これらの主制御弁ＳＶｗやＳＶａが開放状態によって放置された場合にも、その制御弁を閉じることによって給気が遮断でき、これによって、誤動作により、スケーラＨｃと他のハンドピースに同時に給水させることもなく、安全性を向上させている。
【００８１】
ここに、流量調整弁Ｖｂは、主給気管路ＰＡから供給された空気の一部を逃がす逃げ孔として作用しており、流量制御弁Ｖｂを調整することによって、この給水主制御弁ＳＶｗからエアー作動弁Ｖ２〜Ｖ４に流入する空気量を制限し、これらの３つのエアー作動弁Ｖ２〜Ｖ４のうち、同時には１つだけしか開かないようにしている。
【００８２】
このような構造によれば、診療時などにおいて、いずれか１つのインスツルメントを使用しているときに、他のインスツルメントを駆動しても、給水用のエアー作動弁は作動しないため、他のインスツルメントから不用意に水が吐出することがなく、安全である。
また、三方切換弁Ｖｏの下流側は、サーボ弁ＳＶｓ、流量調整弁Ｖａを介してエアータービンハンドピースＨａと、マイクロモータハンドピースＨｍとのそれぞれのフレキシブルチューブＤ・・・に分岐して通じる給気管路に接続されており、エアー主制御弁ＳＶａには、上記した三方切換弁Ｖｏ、スケーラ給水制限弁Ｖ１が接続され、これらの三方切換弁Ｖｏと、スケーラ給水制御弁Ｖ１は、エアー主制御弁ＳＶａによって制御されるようになっている。
【００８３】
ここに、エアー主制御弁ＳＶａは、オフになっているときには、排気ポート側に切換わっており、このとき、三方切換弁Ｖｏと、スケーラ給水制御弁Ｖ１はいずれもオフとなっている。そして、三方切換弁Ｖｏはオフのときには、ポートｂ側に接続され、トラップフィルタＦに通じて大気開放になっており、スケーラ給水制御弁Ｖ１はオフのときは開いているが、エアー主制御弁ＳＶａがオンになれば、三方切換弁Ｖｏ、スケーラ給水制限弁Ｖ１はいずれもオンになる。
その結果、三方切換弁Ｖｏは、ポートａ側に接続され、主給気管路ＰＡから供給された加圧エアーを、マイクロモータハンドピースＨｍ，エアータービンハンドピースＨａへ供給される（マイクロモータハンドピースＨｍには、クーリングエアやチップエアーとして供給される）が、スケーラ給水制限弁Ｖ１は閉じて、エアー作動弁Ｖ２の制御を不能とし、閉じた状態に保持させる。
【００８４】
また、給水主制御弁ＳＶｗは、上記した注水制限弁Ｖ１を介してスケーラＨｃのエアー作動弁Ｖ２、マイクロモータハンドピースＨｍのエアー作動弁Ｖ３、エアータービンハンドピースＨａのエアー作動弁Ｖ４に接続されている。
なお、スケーラ給水制限弁Ｖ１はオフになって開いているときには、給水主制御弁ＳＶｗ、残留水排水制御弁ＳＶｄを通じて主給気管路ＰＡから送られて来る給気をエアー作動弁Ｖ２へ供給するが、オンになれば閉じることによって、給水主制御弁ＳＶｗ、残留水排水制御弁ＳＶｄを通じて主給気管路ＰＡからエアー作動弁Ｖ２への給気を遮断するようになっている。
すなわち、エアー主制御弁ＳＶａがオンになったときには、スケーラＨｃのエアー作動弁Ｖ２をオフの状態を保持して制御を不能にすることによって、スケーラＨｃに対する給水を禁止することが出来る。
【００８５】
したがって、このような構造によれば、エアー主制御弁ＳＶａがオンとなって、エアータービンハンドピースＨａ，マイクロモータハンドピースＨｍに給気が開始されるときには、スケーラＨｃへの給水を禁止することができる。
なお、サーボ弁ＳＶｓは医療装置Ａのフートコントロールペダル（不図示）の踏みこみ加減により、エアータービンハンドピースＨａへ供給する空気の流量を連続的に増減できるようになっており、これによってエアータービンの回転数を連続的に変えることができる。
【００８６】
また、給水主制御弁ＳＶｗは、オフになっているときには、排気ポート側に切換わっているので、主給気管路ＰＡからの加圧エアーのエアー作動弁Ｖ２〜Ｖ４への供給は遮断されているが、オンになれば、パイロットエアー作動弁ＳＶｐを通じて主給気管路ＰＡから供給されて来た加圧エアーは、エアー作動弁Ｖ２〜Ｖ３に供給され、スケーラＨｃ，マイクロモータハンドピースＨｍ，エアータービンハンドピースＨａに通じるフレキシブルチューブＤ”，Ｄ・・・には給水管路を通じて給水がされる。ただし、エアー給水主制御弁ＳＶｗがオンになっているときに、エアー主制御弁ＳＶａをオンになっておれば、前述したように、注水制限弁Ｖ１が閉じているのでエアー作動弁Ｖ２には制御用エアーが送られないため、エアー作動弁Ｖ３，Ｖ４のみが開き、マイクロモータハンドピースＨｍ，エアータービンハンドピースＨａを接続したフレキシブルチューブＤ，Ｄの給水管路のみに給水がされる。
【００８７】
なお、スケーラＨｃ，マイクロモータハンドピースＨｍ，エアータービンハンドピースＨａの給水管路に設けたエアー作動弁Ｖ２’〜Ｖ４’には、並列にバネ式吸引シリンダＶ２’、Ｖ３’、Ｖ４’が設けている。
これらのシリンダＶ２’〜Ｖ４’は、いずれも制御用エアーによってエアー作動弁Ｖ２〜Ｖ４が開かれたときには、その制御用エアーによってバネの弾性に抗してピストンをバネ側に押しつけて給水管路に圧力を加え、制御用エアーが遮断され、エアー作動弁Ｖ２〜Ｖ４が閉じられたときには、バネの弾性力でピストンを持ち上げて、給水管路に加えた圧力を解除し、これによって、マイクロモータハンドピースＨｍやエアータービンハンドピースＨａからの注水が遮断されたときには、それぞれの給水管路に残留している水を吸込んで、の先端部の注水口から水が滴下するのを防止している。
【００８８】
ついで、給水管路系、吸引管路系、排水管路系について説明する。
給水管路は太い実線で、吸引管路は、吸引方向の矢印を付した実線で、排水管路系統は長い点線で示されている
給水管路は、通常の水道水やウオームタンクなどの給水元に接続され、手動の給水元弁Ｖｗ、ゴミ除去フィルタｆ、逆止弁Ｖｃ、減圧弁Ｖ９、給水元弁ＳＶｉを設けた主給水管路ＰＷを有しており、この主給水管路ＰＷは、更にベースン給水管路ＰＷｂと、コップ給水管路ＰＷｃとに分岐している。
ここに、減圧弁Ｖ９は主給水管路ＰＷへの供給水圧力が過大になるのを防ぎ、給水元弁ＳＶｉは電磁弁で構成されている。
また、ベースン給水管路ＰＷｂは、流量調整弁Ｖａを付設した手動のベースン弁Ｖｃと、自動ベースン洗浄弁ＳＶｂとを並列に接続して、ベースン３への給水を制御しており、コップ給水管路ＰＷｃには逆止弁Ｖｃと、電磁弁で構成されたコップ給水弁ＳＶｃを設け、コップ給水を制御している。
【００８９】
主給水管路ＰＷは、さらに延びて、一方は、流量調整弁Ｖａ、フレキシブルチューブＤを通って、スリーウエイシリンジＨ３に至り、他方は、フィルタｆを介して、エアータービンハンドピースＨａ、マイクロモータハンドピースＨｍ、スケーラＨｃの給水管路に連通しており、これらの給水管路には、前述したようにバネ式シリンダＶ２’〜Ｖ４’を併設したエアー作動弁Ｖ２〜Ｖ４と、流量調整弁Ｖａを対応させて設けている。
【００９０】
一方の吸引管路ＰＶは、真空ポンプなどで構成された吸引源に接続されており、吸引制御管路ＰＶｃ、バキューム元管路ＰＶｂ、バキュームタンク排水制御管路ＰＶａの三方に分岐している。
ここに、吸引制御管路ＰＶｃには、エアー作動弁Ｖ６を開閉制御するバキューム制御弁ＳＶｅと、洗浄用排水タンク２の排水用エアー作動弁Ｖ５を開閉制御する排水制御弁ＳＶｆとを設けており、これらの制御弁ＳＶｅ、ＳＶｆをオン、オフさせ、それぞれのエアー作動弁Ｖ６、Ｖ５を開、閉することによって、バキュームシリンジＨｂ、洗浄用排水タンク２への吸引力を供給あるいは遮断している。
【００９１】
また、バキューム元管路ＰＶｂは、バキューム元制御弁ＳＶｇによって開閉制御されるエアー作動弁Ｖ７を設け、バキュームタンク５に接続されており、バキューム元制御弁ＳＶｇをオン、オフさせることによりエアー作動弁Ｖ７を制御して、バキュームタンク５への吸引力を作用させている。
さらに、バキューム管路ＰＶｄは、上記したフィルタｆの下流に分岐し、フレキシブルチューブＤを通じてスケーラＨｃに接続されている。
【００９２】
また、エアー作動弁Ｖ６から、バキュームシリンジＨｂに向かうバキューム管路ＰＶｄは、分岐してトラップフィルタＦに接続され、このフィルタＦに貯留された水分や、油分を、バキュームタンク５に吸引し排出する構成としている。
ここに、トラップフィルタＦは、前述した三方切換弁Ｖｏのポートｂ側に接続され、エアータービンハンドピースＨａ、マイクロモータハンドピースＨｍ、スケーラＨｃに通じる給気管路に接続され、大気に開放されて、給気管路に混入した油水分を捕集し、分離除去するようになっている。
【００９３】
また、排水制御管路ＰＶａは、排水制御弁ＳＶｈに接続され、この制御弁ＳＶｈの開閉により、エアー作動弁Ｖ８を開閉制御して、バキュームタンク５に貯留された洗浄排水を排出させる。
他方の排水管路ＰＨは、ベースン３の排水を回収するベースン排水管路ＰＨｂ、洗浄用排水タンク２からの排水を回収するタンク排水管路ＰＨａ、バキュームタンク５からの排水を回収する排水管路ＰＨｃが合流している。
【００９４】
ここに、ベースン排水管路ＰＨｂは、フィルタｆを有し、タンク排水管路ＰＨａと合流してトラップ６に流れこんでおり、このトラップ６でベースン排水などに含まれる汚物を分離除去するようにしている。
また、一方のバキュームタンク排水管路ＰＨｃには、タンク排水制御弁ＳＶｈによって開閉制御されるエアー作動弁Ｖ８を設け、トラップ６の排水と合流して排水管路ＰＨに接続されている。ついで、管路自動洗浄機能を備えた本発明の医療装置における全自動配管洗浄動作を、図８（ａ）〜（ｋ）のタイムチャートに基づいて説明する。
【００９５】
まず、洗浄用排水タンク２を排水受け部３に設置し、必要に応じて、フレキシブルチューブＤの継手部に補助キャップ（不図示）を装着して、タンク２にセットする。このとき、スリーウエイシリンジＨ３の吐水レバーは、前述したように保持部によってオンの状態にセットされている。但し、この時点では、給水主制御弁ＳＶｗがオフになっているので、吐水はされない。
【００９６】
ついで、メインスイッチをオンにし、バキュームシリンジＨｂをタンク２にセットすれば、バキューム元制御弁ＳＶｇ、バキューム制御弁ＳＶｅはオンになるので、その時点で、バキュームシリンジＨｂは吸引を開始する（以上、Ｔ１，Ｔ２）。
このようにして、すべてのフレキシブルチューブＤ，Ｄ’，Ｄ”をタンク２にセットした後、管路洗浄指令スイッチＳＷを操作すると、管路洗浄シーケンス制御手段は、コップ給水弁と自動ベースン洗浄弁を開くので、コップ給水部３１の排水洗浄が行われ、同時にベースン３の排水洗浄が行われる。
また、このとき、エアータビンハンドピースＨａに通じる給気管路への給気量を最大にするため、サーボ弁を全開にする。
かくして、コップ給水部の排水洗浄と、ベースンの自動洗浄が終了すると、シーケンス制御手段は、残留水排出制御弁ＳＶｄを開き、同時にパイロットエアー作動弁ＳＶｐをオンにし、更にエアー主制御弁ＳＶａを開く（以上、Ｔ３，Ｔ４）。
【００９７】
この結果、タンク２にセットされたフレキシブルチューブＤ，Ｄ’，Ｄ”は排気口から加圧エアーを最初に噴射させた後、洗浄排水が放出されるので、フレキシブルチューブから排出された洗浄排水が排気口などから逆流入することがない。
なお、図８（ｊ）では、この時点で給水主制御弁ＳＶｗも開いているが、各種のインスツルメントに通じるフレキシブルチューブの給水管路に設けたエアー作動弁は、残留水排出制御弁ＳＶｄによって一斉に開かれるので、必ずしも必要ではない。
【００９８】
管路洗浄シーケンス制御手段Ｂは、残留水排出制御弁ＳＶｄ、パイロットエアー作動弁ＳＶｐ、エアー主制御弁ＳＶａを予め設定された時間の間、オンに保持して、フレキシブルチューブＤ，Ｄ’，Ｄ''から洗浄排水を一斉に排出させる。この結果、給水元からすべての主給水管路には洗浄水が供給され、管路内に残留した水を押し出すので、管路内に残留した古い水は給水元から供給された新鮮な水で洗浄されることになる（以上、Ｔ５）。
【００９９】
このようにして、配管洗浄が終了した後は、すべてのフレキシブルチューブＤをタンク２より取り外し、それぞれの収納位置に戻した後、メインスイッチをオフにする。そうすると、スリーウエイシリンジＨ３の吐水レバーもオフ状態となり、水と空気の吐出は停止し、バキュームシリンジＨｂの吸引も停止され、最後にバキュームタンク排水制御弁ＳＶｈを開くことによって、バキュームタンク２内で油、汚物などと分離され、貯留されている洗浄排水は、排水管路を通じて外部に排出される（以上、Ｔ６）。
【０１００】
ついで、本発明の配管洗浄方法において使用される排水用洗浄タンク、汚染防止用補助キャップについて説明する。
排水用洗浄タンクは、本発明を実施するための必須の要件ではないが、このようなタンクを使用すれば、前述したように、フレキシブルチューブから放出された洗浄排水を、排水受け部や他の部分に飛散させることがないので、汚染防止の観点から使用される。
【０１０１】
図９（ａ）〜（ｃ）は洗浄用排水タンクの一例を示している。
洗浄用排水タンク２は、これらの図に示したように、排水受け部（またはベースン）３の鉢開口部に取り付けて使用できる形状に形成されており、タンク２の上部には、洗浄排水受け孔部２２Ａ、２２Ａ’と、バキュームシリンジなどを挿嵌接続させる洗浄排水吸引孔部２６と、コップ給水部３１の受け穴２７（図５参照）と、スリーウエイシリンジの吐水レバー用の補助突片２５を設けている。
【０１０２】
それぞれの洗浄排水受け孔部２２Ａ、２２Ａ’は、図１０（ａ）に示したように、エアタービンハンドピースＨａ、マイクロモータハンドピースＨｍ、スケーラＨｃ、スリーウェイシリンジＨ３などの処置用インスツルメントの代わりに、フレキシブルチューブの継手部に装着された補助キャップＣを、先端を下方に向けて挿嵌できるようになっており、補助突片２５には、スリーウエイシリンジＨ３の吐水レバーを吐水状態に操作保持するようにして、スリーウエイシリンジＨ３を穴部にセットするようになっている。
【０１０３】
また、タンク２の側面適所には、インジケータ手段２３として、深さ方向に複数のＬＥＤを配列して構成されたＬＥＤ点灯バーを設けており、貯留された洗浄排水の量が外部から一見すれば分かるようになっており、また、タンク２の深さの半分程度の位置には複数のオーバフロー孔２４を横方向に穿孔している。
したがって、このようなタンク２によれば、コップ給水部３１の導水部が、受け穴２７に合致するようにして、図５に示したようにタンク２に掛け止めすれば、排水受け部３の上にセットでき、コップ給水部３１からの排水を外部に飛散させずに受け止めることが出来る。
【０１０４】
また、タンク２の側壁にはオーバフロー孔２４を穿孔しているので、タンク２に洗浄排水が排出されても、満水にならずに、オーバフロー孔２４より排出するので、洗浄排水受け部２２Ａ、２２Ａ’にセットした補助キャップＣ等が洗浄水に浸かって汚染されることがなく、衛生的な環境下で排水が出来る。
このような洗浄排水タンクを構成する場合、図１０（ｂ）に示したように、補助キヤップを洗浄排水受け孔部２２Ｂ，２２Ｂ’に一体に形成してもよい。
このようなものでは、フレキシブルチューブＤ，Ｄ’の継手部には補助キヤップＣを付け替える必要がないので、操作も簡単で、補助キャップを紛失する虞もない。
【０１０５】
ついで、汚染防止用補助キャップについて、詳細に説明する。
このような補助キャップは、排水用洗浄タンクと同様に、本発明を実施するための必須の要件ではないが、フレキシブルチューブの継手部に洗浄排水を付着させることがなく、また継手部に電極や導電部が露出しているものでも、継手部を直接大気に曝さないために、酸化やホコリの付着などから効果的に防止できるものである。
【０１０６】
このような補助キャップは、フレキシブルチューブの継手部より処置用インスツルメントを取り外し、代わりに装着されるので、フレキシブルチューブの継手部の構造に応じて、本発明として種々のタイプのものを提案している。
図１１は、エアタービンハンドピースＨａを接続する継手部に装着される補助キャップＣ（＃１）の一例を示している。
【０１０７】
フレキシブルチューブＤは、図１１に示すように、先端に継手部６０を突設しており、この継手部６０には給水を行うための給水管路６１、エアタービン駆動用の給気管路６２、エアータビンの排気を行うための排気管路６３を形成し、これらの管路６１〜６３は、Ｏリング６４〜６６を外嵌させた隣接する突外壁で区分された環状溝に、それぞれ給水管路口６１ａ、給気管路口６２ａ、排気管路口６３ａを開口している。なお、継手部６０の先端には、エアタービンハンドピースＨａの内部に収容され、腔口内を照らすためのランプ６７を設けている。
【０１０８】
ここに、補助キャップＣ（＃１）は、先端開口１６から継手挿嵌口１７に通じる貫通孔１９を長手方向に開設した筒状本体１６ａを有し、その筒状本体１６ａの継手挿嵌口１７側には、つば部１８を設け、この筒状本体１６ａの外周壁には、貫通孔１９に連通する１組の排水孔口１６ｂを開口させ、更に、貫通孔１９には、内径の異なる内周壁１９ａ〜１９ｄを連成し、凹凸段部を形成している。
【０１０９】
このような補助キャップＣ（＃１）によれば、フレキシブルチューブＤの継手部６０を、継手挿嵌口１７に、図１１に示すように挿嵌させれば、継手部６０の突外壁に外嵌させた２つのＯリング６４、６５は、貫通孔１９の内周壁１９ｂ、１９ｃと接触し弾性変形することによって、内周壁１９ｂに開口させた一組の排水孔口１６ｂと給水管路口６１ａとを、環状溝を通じて水密的に連通させる。したがって、フレキシブルチューブＤを通じて給水管路口６１ａから排出された水は、継手部６０の給気管路口６２ａや排気管路口６３ａに流れ込んだり、その他の部分に漏れることなく、筒状本体１６ａの外周壁に形成された排水孔口１６ｂに導かれて、外周壁を伝わって排出される。
【０１１０】
また、継手部６０に形成された給気管路口６２ａは、Ｏリング６４を外嵌させた突外壁を越えて、給水管路口６１ａよりも先端に位置する貫通孔１９の内周壁１９ｄ側に開口しているので、給水管路口６１ａとシールされる。
そのため、給気管路口６２ａより放出されたエアーは、そのまま先端開口１６から勢いよく排出される。
【０１１１】
また、継手部６０の給気管路口６２ａよりも先端部側に位置する連通孔１９の内周壁１９ｄの部分には、上記したランプ６７が位置しているので、給気管路口６２ａより放出されたエアーはランプ６７の表面に付着したホコリを除去する効果もあり、排水孔口１６ｂから外周壁を伝って排出された水や、後述する洗浄用排出タンクに貯留され跳ね返った排水が貫通孔１９に入り込むことも防止できる。
【０１１２】
一方の排気管路口６３ａは、給水管路口６１ａよりも更に基端部側の内周壁１９ａに開口しており、継手挿嵌孔１７に連通しているが、Ｏリング６５を外嵌させた突外壁によって給水管路口６１ａとは水密的に分離され、しかも、この継手挿嵌孔１７は、筒状本体１６ａのつば部１８に密着させた継手部６０の接続端面Ｄ１１とによって塞がれているので、外気の流入が阻止される。図例では、継手部６０と継手挿嵌孔１７の内周壁１９ａとの間に隙間が形成されているが、この隙間は、つば部１８によって、外気の流入が阻止された、いわゆる閉鎖路として作用している。
【０１１３】
したがって、排気管路口６３ａは外気を吸い込むことがなく、排水孔口１６ｂから排出された水や、洗浄用排出タンク（不図示）に貯留されている排出水の跳ね返りなどが、この排気管路口６３ａに流入するようなこともない。
このような汚染防止用の補助キャップＣ（＃１）を用いれば、フレキシブルチューブＤの継手部６０は、洗浄水を排水する間は外気から保護され、洗浄排水は排水孔口１６ｂを通じて外周壁を伝って外部に排水されるので、継手部６０を汚染することがない。
【０１１４】
また、フレキシブルチューブＤを通じて供給されたエアーは、先端開口１６から洗浄用排出タンク２の方向に排出されるので、排出した洗浄水の跳ねはね上げによる継手部６０への付着も防止されるとともに、排気管路口６３ａには、外気の流入が阻止されるので、ホコリが混入したり、排出した洗浄水を吸い込んで流入させるようなこともない。
【０１１５】
図１２は、マイクロモータハンドピースＨｍを接続する継手部に装着される補助キャップＣ（＃２）の一例を示している。
フレキシブルチューブＤは、図１２に示すように、先端に継手部７０を突設しており、この継手部７０には給水を行うための給水管路７１、切削粉吹き飛ばし用の空気を供給するチップエア管路７２、モータ冷却用の空気を供給するクーリングエア管路７３を形成し、このうち管路７１、７２は、Ｏリング７４〜７６を外嵌させた環状溝で挟まれた外周部に、給水管路口７１ａ、チップエア管路口７２ａを開口し、また、管路７３は継手部７の中心を直線状に貫通して、継手先端部にクーリングエア管路口７３ａを開口している。
【０１１６】
ここに、補助キャップＣ（＃２）は、先端開口３０から継手挿嵌口３２に通じる貫通孔３４を長手方向に開設した筒状本体３０ａを有し、その筒状本体３０ａの継手挿嵌口３２側にはつば部３３を設けており、この筒状本体３０ａの外周壁には、貫通孔３４に連通する一組の排水孔口３０ｂを開口させ、貫通孔３４には、内径の異なる内周壁３４ａ、３４ｂを連成して、凹凸段部を形成している。
【０１１７】
このような補助キャップＣ（＃２）によれば、フレキシブルチューブＤの継手部７０を、図１２に示すように、継手挿嵌口３２に挿嵌させたときには、継手部７０の外周溝に外嵌させた２つのＯリング７４、７５は、貫通孔３４の内周壁３４ａと接触し弾性変形することによって、内周壁３４ａに開口させた排水孔口１６ｂと給水管路口７１ａとを水密的に連通させる。
【０１１８】
そのため、フレキシブルチューブＤを通じて給水管路口７１ａから排出された水は、継手部７０の給気管路口７２ａに流れ込んだり、その他の部分に漏れることなく、筒状本体３０ａの外周壁に形成された排水孔口３０ｂに導かれ、外周壁を伝って排出される。
また、継手部７０に形成された給気管路口７２ａは、Ｏリング７５を外嵌させた壁部によって気密に遮られて、給水管路口７１ａよりも先端に位置する内周壁３４ｂ側に開口しているので、給気管路口７２ａより放出されたエアーは、そのまま先端開口３０から勢いよく排出される。
【０１１９】
また、クーリングエア管路７３よりのエアーは、継手部７０の中心を貫通する径路を通じて、クーリングエア管路口７３ａから、そのまま先端開口３０に向けて排出される。したがって、このエアー流によって、継手部７０の先端部に付着したホコリを吹き飛ばすだけでなく、排水孔口３０ｂから外周壁を伝って排出された水や、洗浄用排出タンク２に貯留され跳ね返った排水が貫通孔３４に入り込むことも防止できる。
【０１２０】
このような補助キャップを用いれば、フレキシブルチューブＤの継手部７０は、洗浄水を排水する間は外気から保護され、洗浄排水は排水孔口３０ｂを通じて外周壁を伝って外部に排水されるので、継手部７０を汚染することがない。また、フレキシブルチューブＤを通じて供給されたエアーは、先端開口３０から洗浄用排出タンクの方向に排出されるので、排出した洗浄水の跳ねはね上げによる継手部７０への付着も防止される。
【０１２１】
なお、マイクロモータハンドピースの継手部の接続端面には、マイクロモータモータ駆動用の電源を供給するための電極端子（不図示）が、継手部７０の接続端面Ｄ２１に露見するので、このような補助キャップを使用すれば、このような電極端子も、つば部３３によって覆うことができ、排出水なども付着させずに保護出来る。
【０１２２】
図１３は、スケーラＨｃを接続する継手部に装着される補助キャップの一例を示している。
フレキシブルチューブＤは先端に継手部８０を突設しており、この継手部８０には給水を行うための給水管路８１を形成し、管路８１は継手部８０の中心を貫通して、その先端に給水管路口８１ａを開口している。
【０１２３】
ここに、補助キャップＣ（＃３）は、先端開口５０から継手挿嵌口５２に通じる貫通孔５４を長手方向に開設した筒状本体５０ａを有し、その筒状本体５０ａの継手挿嵌口５２側にはつば部５３を設けており、貫通孔５４には、継手部８０を蜜嵌させる内周壁５４ａを形成している。
このような補助キャップＣ（＃３）によれば、フレキシブルチューブＤ３の継手部８０を、図１３に示すように、継手挿嵌口５２に挿嵌させたときには、継手部８０の先端部側に形成した外周溝に外嵌させたＯリング８２は、貫通孔５４の内周壁５４ａと接触し弾性変形することによって、給水管路口８１ａと先端開口５０を水密的に連通させる。
【０１２４】
したがって、フレキシブルチューブＤを通じて給水管路口８１ａから排出された水は、継手部８０の他の部分に侵入することなく、先端開口５０に導かれ、そのまま排出される。
また、このような汚染防止用の補助キャップＣ（＃３）を用いれば、フレキシブルチューブＤの継手部８０は、洗浄水を排水する間は外気から保護されるとともに、洗浄排水は先端開口５０を通じて排水されるので、継手部８０を洗浄排水で汚染することがない。
【０１２５】
更に、本例のように、スケーラを接続する継手部８０には、通常は、スケーラ用の電源を供給するための電極端子（不図示）を設けた構造になっているが、継手部８０の接続端面Ｄ３１には、つば部５３が対面し、このような電極端子を覆い隠すことによって、ホコリなどの付着を防ぐとともに、排出水などを付着させず、電極端子が保護される。
【０１２６】
補助キャップとしては図１４や図１５に示した構造のものを使用してもよい。図１４は、弾性Ｏリングによる逆流防止弁体を設けた補助キャップの一例を示している。
補助キャップＣ（＃４）は、排水孔口８４を開口した外周壁５０ａに断面がほぼＶ字となるリング状凹溝８５を形成し、その凹溝８５に弾性Ｏリング８３を嵌入させて構成された逆流防止弁体８を設けた筒状本体５１を有しており、この筒状本体５１の先端は閉塞されている。
【０１２７】
筒状本体５１の内面には、内周壁５４ａが形成されており、フレキシブルチューブＤの継手部８０が装着されたときには、排水孔口８４をフレキシブルチューブＤの給水管路８１の給水管路口８１ａに合致させ水密的に通じさせる構造になっている。
また、筒状本体５１の継手挿嵌口５２側にはつば部５３を設け、継手挿嵌口５２に挿入させた継手部８０の接続端面Ｄ３１と密着させることによって、ホコリが侵入したり、継手部の接続端面Ｄ３１が空気に曝されて酸化されることがないようにしている。
【０１２８】
このような補助キャップＣ（＃４）によれば、フレキシブルチューブＤ３の継手部８０を、図１４（ａ）に示すように、継手挿嵌口５２に挿嵌させたときには、継手部８０の先端部側に形成した外周溝に外嵌させたＯリング８２は、筒状本体５１の内周壁５４ａと接触し弾性変形することによって、給水管路口８１ａと先端開口５０を水密的に連通させる。
【０１２９】
したがって、医療装置の給水手段が作動され、フレキシブルチューブＤを通じて給水管路口８１ａから洗浄排水が供給されて来ると、その洗浄排水は、継手部８０の他の部分に侵入することなく、排水孔口８４からリング状凹溝８５に入り、その凹溝８５に嵌入された弾性Ｏリング８３を水圧で押し広げ、径を拡大させるので、弾性Ｏリング８３と凹溝８５との間には、図１４（ｂ）に示したように、隙間を生じ、その隙間より、洗浄排水が飛散することなく放出される。
一方、給水手段の作動が停止され、フレキシブルチューブＤを通じて給水管路口８１ａから供給されて来る洗浄排水の水圧が低下すると、弾性Ｏリング８３は元の状態に復元して、凹溝８５との間の隙間を閉じるので、その時点で洗浄排水の放出は停止される。このため、洗浄排水が漏れ出したり、排出した洗浄排水が逆流するようなことない。
【０１３０】
図１５に示したものは、図１１のものと同様に、エアタービンハンドピースＨａを接続する継手部に装着される補助キャップＣ（＃５）を示している。
フレキシブルチューブＤの継手部の構造は、図１１に示したものと同じである。
継手部６０には給水を行うための給水管路６１、エアタービン駆動用の給気管路６２、エアータビンの排気を行うための排気管路６３を形成し、これらの管路６１〜６３は、いずれもＯリング６４〜６６を外嵌させた隣接する突外壁で区分された環状溝に、それぞれ給水管路口６１ａ、給気管路口６２ａ、排気管路口６３ａを開口している。
【０１３１】
また、継手部６０の先端には、エアタービンハンドピースＨａの内部に収容され、腔口内を照らすためＬＥＤなどで構成されたランプ６７を設けている。
筒状本体１６ａの先端は、テーパ状の球受け部２０ｃに、スプリング２０ｂで支持された球弁２０ａを嵌入させた逆流防止エアー弁２０を設けている。
すなわち、この逆流防止エアー弁２０は、排気口２１ａを中心に形成したスプリング収容部２１を筒状本体１６ａの先端部に取り付けて、そこに球弁２０ａで支持したスプリング２０ｂを収容させている。
【０１３２】
したがって、給気管路６２から加圧エアーが送られて来ないときには、球弁２０ａは、そのスプリング２０ｂによる弾性力によってテーパ状の球受け部２０ｃに押付けられるために排気口２１ａは閉じられ、給気管路６２から加圧エアーが送られて来たときには、球弁２０ａは、スプリング２０ｂの弾性力に抗して収容部２１の内方に押し下げられるために、排気口２１ａは開口して、加圧エアーを外部に排出する。
【０１３３】
また、筒状本体１６ａはつば部１８を設けており、その内面には、図１１の補助キャップと同様に、内径の異なる内周壁１９ａ〜１９ｄを連成し、凹凸部を形成している。
このような構造の補助キャップＣ（＃５）によれば、フレキシブルチューブＤを通じて給水管路口６１ａから洗浄排水が排出されて来ると、継手部６０の給気管路口６２ａや排気管路口６３ａに流れ込んだり、その他の部分に漏れることなく、筒状本体１６ａの外周壁に形成された排水孔口１６ｂに入り込む、そのため、弾性Ｏリング１６は、洗浄排水の排水圧によって押し広げられ、径を拡大させるので、弾性Ｏリング１６と凹状溝１６ｃとの間には隙間が生じ、その隙間より洗浄排水が放出するので、洗浄排水を飛散させることがない。
また、医療装置の給水手段の作動を停止させると、フレキシブルチューブＤによる洗浄排水の排水圧が低下するので、弾性Ｏリング１６は、その弾性力によって復元して、凹溝状１６ｃに嵌り込むため、上記した隙間が閉じられ、そのため洗浄排水の漏れ出しや逆流も防止される。
【０１３４】
また、給気管路口６２ａより放出された加圧エアーは、スプリング２０ｂによって弾性支持された球弁２０ａを、スプリング収容部２１の内方に押し下げるので、これによって排気口２１ａは開かれて、加圧エアーはその排気口２１ａより勢いよく排出される。しかし、給気管路口６２ａより加圧エアーの放出が停止すれば、球弁２０ａを押し下げていた加圧エアーの圧力も低下するので、球弁２０ａはスプリング２０ｂの弾性力によって、テーパ状の受け部２０ｃまで戻され、排気口２１ａを自動的に閉じるので、エアーが逆流入したり、外気が混入することなく汚染が防止できる。
【０１３５】
したがって、排気管路口６３ａも外気を吸い込むことがなく、排水された洗浄排水や、洗浄用排出タンク（不図示）に貯留されている排出水の跳ね返りなどが、この排気管路口６３ａに流入するようなこともない。
なお、図１１と対応する部分には、同じ符号を付して説明を省略する。
つぎに、本発明の管路自動洗浄機能を備えた医療装置の他の特徴について説明する。
【０１３６】
請求項２０〜２２のいずれかにおいて提案される医療装置は、配管洗浄を全自動で安全な状態で行うために、次のような前処理条件を設定している。
図１６、図１７は請求項２０において提案した医療装置の要旨を説明するものである。
図１６は、管路洗浄シーケンスを実行するための基本的なハード構成を示している。
【０１３７】
この医療装置は、管路洗浄指令スイッチＳＷと、フレキシブルチューブ引出検知手段ＦＤを備えており、管路洗浄シーケンス制御手段Ｂでは、これらの信号を受け付けて、給水手段を含む給水制御機器、給気手段を含む給気制御機器を制御し、前述したような管路洗浄シーケンスを実行している。
管路洗浄シーケンス制御手段Ｂ’に設けられた判別手段１０'は、管路洗浄指令スイッチＳＷが操作されたときに、フレキシブルチューブ引出検知手段ＦＤからの検知信号を参照して、洗浄対象となるすべてのフレキシブルチューブＤ・・・がインスツルメント保持部４ａから引き出されているかどうかを前処理条件として判断しており、判別手段１０'が前処理条件が成立していると判断すれば、管路洗浄シーケンスを開始し、そうでない場合には、トラブル信号を出力して、ランプＬやアラームＢＬで報知し、洗浄対象となるすべてのフレキシブルチューブＤ・・・がインスツルメント保持部４ａから完全引出されるように、作業を促すようになっている。
【０１３８】
図１７は、管路洗浄シーケンスを開始するために採用される前処理条件の一例を示している。
ここでは、医療装置は、エアータービンハンドピースＨａ、マイクロモータハンドピースＨｍ、スリーウイシリンジＨｃ、バキュームシリンジＨｂを備え、これらのインスツルメントを備えたフレキシブルチューブが洗浄対象とされているが、これらのフレキシブルチューブのインスツルメント保持部からの引出（ａ）〜（ｄ）が、いわゆる論理積として判断される。
前処理条件を更に厳しくするためには、フレキシブルチューブ以外の機器、種々の操作を更に条件に加えればよい。
なお、前述した汚染防止用補助キャップＣ（＃１）・・・を使用する場合には、これらの補助キャップＣ（＃１）・・・の装着も更に条件として加えられる。
【０１３９】
ついで、別の医療装置について説明する。医療装置の配管洗浄を全自動下で行う場合、以上のような前処理条件を判断する以外に、管路洗浄シーケンス制御手段Ｂ’が配管洗浄を実行しているときに、医療装置に対して通常の診療時の操作がなされたような場合、例えば、医療装置の診療台の昇降操作スイッチを操作したり、バックレストを傾動させるために、その操作スイッチを操作したときに、管路洗浄シーケンスを直ちに停止出来る構成にしてもよい。
請求項２１は、このような緊急停止機能を備えた医療装置を提案している。このような装置では、更に処置用インスツルメントの照明用ランプ、マイクロモータ、スケーラ駆動源などの電気駆動部を駆動操作したりしたときにも管路洗浄シーケンスを緊急停止できるようにしてもよい。図１８のステップ２００〜２０７は、この場合における基本動作をフローチャートをもって示すものである。
【０１４０】
また、医療装置を構成する場合、管路洗浄シーケンス制御手段Ｂ’は、一旦実行を開始した管路洗浄が途中で妨害されないために、管路洗浄シーケンスの実行途中において診療台の昇降操作スイッチの操作、バックレストを傾動させるための操作スイッチの操作、あるいは処置用インスツルメントの駆動操作があったときには、これらを無視することも、全自動下における配管洗浄では更に安全性を高めるために望まれ、請求項２３に提案する医療装置は、このような機能を実現させたものであり、図１９のステップ３００〜３１１は、この場合の基本動作をフローチャートをもって示す。
診療台の昇降操作スイッチの操作や、バックレストを傾動させるための操作スイッチの操作、あるいは処置用インスツルメントの電気駆動部の駆動操作がなされたときに、配管洗浄が実行中である場合には、これらの操作をクリアするが、そうでない場合には、診療台の昇降、バックレストの傾動、あるいは処置用インスツルメントの電気駆動部を駆動可能としている。
【０１４１】
なお、以上のような条件は医療装置の種別に応じて適宜変更することが望ましく、診療台の昇降操作スイッチの操作や、バックレストの傾動操作スイッチの操作を行っても、インスツルメント保持部と排水受け部との相対的な位置関係を変化させず、排水受け部にセットされたフレキシブルチューブが動かされるおそれのない動作の場合には、そのまま受付けるようにしてもよい。
【０１４２】
一方、診療台の昇降操作スイッチの操作や、バックレストの傾動操作スイッチの操作でなくても、インスツルメント保持部と排水受け部との相対的な位置関係を変化させ、インスツルメント保持部から排水受け部に渡されるフレキシブルチューブの距離や位置を変化させる動作を禁止させるように構成にしてもよい。
例えば、治療装置が図２２に示したように、インスツルメント保持部４ａが診療台シート１の傍らに独立したワークテーブル３４として設けられるようなものである場合には、フートペダル３５の操作によってフレキシブルチューブＤ・・・の先端に取り付けた処置用インスツルメントが作動するので、緊急停止せればよいが、ドクタースイッチ３６やナーススイッチ３７を操作して、診療台シート１やバックレストバックレスト４を動作させても、イスツルメント保持部３ａは可動しないため、緊急停止を行う必要がなく、このようなものでは、ワークテーブル３４を動作させたときに、緊急停止させるようにすればよい。
【０１４３】
ついで、配管洗浄を全自動で行うために、安全性の観点から提案された医療装置について説明する。
図２０において、管路洗浄シーケンス制御手段Ｂは判別手段１０'を設けており、管路洗浄指令スイッチＳＷと、フレキシブルチューブ引出検知手段ＦＤとを入力して、配管洗浄のために給水制御機器、給気制御機器を制御している。
ここで、実行される配管洗浄方法は、本発明として提案した方法に限定されず、一般的な配管洗浄にも適用される。
フレキシブルチューブ引出検知手段ＦＤは、管路洗浄の対象となるすべてのフレキシブルチューブが保持部４ａから引出されているかどうかを検知し、対象となるすべてのフレキシブルチューブが保持部４ａから引出されて、前処理条件が成立したときに、管路洗浄指令スイッチＳＷからの指令信号を受け付けて、管路洗浄シーケンスを開始する。
【０１４４】
また、判別手段１０’は、管路洗浄シーケンスが開始されているときには、ゲートＧ１，Ｇ２に禁止信号を送出しているので、昇降操作スイッチＳＷａ、バックレスト操作スイッチＳＷｂが操作されれば、、診療台昇降制御手段１１’やバックレスト傾動制御手段１２’には駆動信号が入力されないようにしている。
また、このような管路洗浄シーケンス制御手段Ｂは、医療装置の構造的な特徴を考慮した制御を行わせればよい。
すなわち、昇降操作スイッチＳＷａやバックレスト操作スイッチＳＷｂを操作して、バックレストを昇降させたり、傾動させた場合にも、フレキシブルチューブと排水受け部との距離が変化しないものでは、判別手段１０’は、それらの操作スイッチＳＷａ，ＳＷｂによる操作を禁止しなくてもよい。
しかし、バックレストの昇降操作スイッチＳＷａやバックレスト操作スイッチＳＷｂに限られず、医療装置のスイッチを操作したときに、フレキシブルチューブＤ・・・と排水受け部３との距離が変化するものは、排水受け部３にセットしたフレキシブルチューブＤ・・・の脱落をなくすために、その部分の動作制御を禁止させる構成にしてもよい。
【０１４５】
図２１では、管路洗浄シーケンス制御手段Ｂは、モード切替スイッチＳＷｍ、管路洗浄スイッチＳＷ、フレキシブルチューブ引出検知手段ＦＤからの信号を検知し判別する判別手段１０'を備えており、判別手段１０'による判別動作に応じて給水制御機器や給気制御機器を制御して、管路洗浄シーケンスを実行するとともに、判別手段１０'は昇降操作スイッチＳＷａ，バックレスト操作スイッチＳＷｂなどの操作信号を入力して、診療台昇降制御手段１１'、バックレスト傾動制御手段１２'を制御する構成としている。なお、フレキシブルチューブ引出検知手段ＦＤは、管路洗浄の対象となるすべてのフレキシブルチューブがインスツルメント保持手段４ａから引き出されているかどうかを前処理条件として判断するもので、管路洗浄指令スイッチＳＷが操作されても、この前処理条件が成立していない限り、管路洗浄シーケンスはロックされ開始されない。
【０１４６】
また、この医療装置では、モード切替スイッチＳＷｍによって、管路洗浄シーケンス優先モードと、管路洗浄シーケンス緊急停止優先モードのいずれかが、その使用目的に応じて自由に選択出来るようにしているが、いずれか一方のモード仕様に設計してあってもよい。
基本動作を説明すると、モード切替スイッチＳＷｍによって、管路洗浄シーケンス優先モードを選択設定し、管路洗浄スイッチＳＷを操作して、管路洗浄シーケンス制御手段Ｂを作動させて給水制御機器、給気制御機器を作動すると、判別手段１０’は、ゲート回路Ｇ１，Ｇ２に禁止信号を送出する。そのため、管路洗浄シーケンスの実行中において、昇降操作スイッチＳＷａ、バックレスト操作スイッチＳＷｂのいずれかの操作がなされても、診療台昇降制御手段１１’や、バックレスト傾動制御手段１２’には駆動信号が送出されず、これらの動作は禁止される。
【０１４７】
したがって、このような管路洗浄シーケンス優先モードに設定して、管路洗浄シーケンスを実行すれば、その途中で昇降操作スイッチＳＷａ、バックレスト操作スイッチＳＷｂなどを不用意に操作しても、これらの操作は無視されるので、管路洗浄シーケンス制御が中断されることなく実行させることが出来る。
ところで、このような管路洗浄シーケンス優先モードは、医療装置の構造的な特徴を考慮した制御が可能である。
昇降操作スイッチＳＷａやバックレスト操作スイッチＳＷｂを操作して、バックレストを昇降させたり、傾動させた場合に、図２０に示したようなチェアーマウントタイプの医療装置では、フレキシブルチューブＤ・・・と排水受け部３との距離が変化せず、その操作を無効にしなくてもよい。
また、医療装置のスイッチの操作を無効にするものは、バックレストの昇降スイッチＳＷａや傾動操作スイッチＳＷｂに限られず、スイッチを操作したときに、フレキシブルチューブＤ・・・と排水受け部３との距離を変化させるものは、それらの動作を禁止する構成にすればよく、請求項２４，２５では、そのような安全対策の施された医療装置を提案している。
【図面の簡単な説明】
【図１】本発明の配管洗浄方法における基本の動作手順を示すフローチャートである。
【図２】歯科用医療装置を使用して、本発明の配管洗浄方法を実施する要領を説明する図である。
【図３】洗浄用排水タンクを使用して、配管洗浄を行う要領を説明する図である。
【図４】医療装置の排水受け部の他例を示す図である。
【図５】コップ給水部の排水洗浄を説明する要部の縦断構造面である。
【図６】配管洗浄シーケンス制御手段の電気回路の一例を示す図である。
【図７】本発明の医療装置に組み込まれている配管制御系の概略構成を示す系統図である。
【図８】（ａ）〜（ｍ）は、本発明の配管洗浄方法を実施する際における配管制御系の各部の動作を示すタイムチャートである。
【図９】（ａ）〜（ｃ）は、本発明の配管洗浄方法を実施する際に使用される排水用洗浄タンクと、フレキシブルチューブとを示す図である。
【図１０】（ａ），（ｂ）は、本発明の配管洗浄方法を実施する際に使用される補助キャップの使用例を示す図である。
【図１１】本発明の配管洗浄方法を実施する際にフレキシブルチューブの継手部に装着される補助キャップの一例を示す要部の縦断面構造図である。
【図１２】本発明の配管洗浄方法を実施する際にフレキシブルチューブの継手部に装着される補助キャップの一例を示す要部の縦断面構造図である。
【図１３】本発明の配管洗浄方法を実施する際にフレキシブルチューブの継手部に装着される補助キャップの一例を示す要部の縦断面構造図である。
【図１４】（ａ）は、本発明の配管洗浄方法を実施する際にフレキシブルチューブの継手部に装着される補助キャップの一例を示す要部の縦断面構造図、（ｂ）は逆流防止弁をなす弾性Ｏリングの拡大説明図である。
【図１５】本発明の配管洗浄方法を実施する際にフレキシブルチューブの継手部に装着される補助キャップの他例を示す要部の縦断面構造図である。
【図１６】本発明の医療装置の前処理判別を実現するハード構成を示すブロック図である。
【図１７】本発明の医療装置の前処理判別手段において判別される条件の一例を示す論理説明図である。
【図１８】配管の自動洗浄機能を備えた本発明の医療装置において、通常の診療時や治療時の操作がなされた場合の基本動作を示したフローチャート。
【図１９】配管の自動洗浄機能を備えた本発明の医療装置において、管路洗浄シーケンスを停止させる場合の基本動作を示したフローチャート。
【図２０】安全化対策のなされた管路自動洗浄機能を備えた医療装置の基本構成を示すブロック図である。
【図２１】安全化対策のなされた管路自動洗浄機能を備えた医療装置の他の基本構成を示すブロック図である。
【図２２】ワークテーブルにインスツルメント保持部を設けた医療装置の一例を示す図である。
【符号の説明】
Ａ                医療装置本体
Ｂ                排水洗浄シーケンス制御手段
Ｃ                補助キャップ
Ｄ，Ｄ’，Ｄ’’  フレキシブルチューブ
Ｈａ              エアータービンハンドピース
Ｈｍ              マイクロモータハンドピース
Ｈｃ              スケーラ
Ｈ３              スリーウェイシリンジ
Ｈｂ              バキュームシリンジ
ＳＶａ            エアー主制御弁
ＳＶｂ            自動ベースン洗浄弁
ＳＶｃ            コップ給水弁
ＳＶｄ            残留水排水制御弁
ＳＶｅ            バキューム制御弁
ＳＶｆ            洗浄用排水タンク排水制御弁
ＳＶｇ            バキューム元制御弁
ＳＶｈ            バキュームタンク排水制御弁
ＳＶｉ            給水元弁
ＳＶｐ            パイロットエアー作動弁
ＳＶｓ            サーボ弁
ＳＶｗ            給水主制御弁
ＳＷ              配管洗浄指令スイッチ
１                治療装置本体
２                洗浄用排水タンク
３                排水受け部（ベースン）
３１              コップ給水部
４                バックレスト
５                バキュームタンク
６                トラップ
６０、７０、８０  フレキシブルチューブの継手部
１６、３０、５０  補助キャップの先端開口
１７、３２、５２  その継手挿嵌口
１６ａ、３０ａ、５０ａ    その筒状本体
１６ｂ、３０ｂ、５０ｂ    その排水孔口
１９ａ〜１９ｄ、３４ａ、３４ｂ、５４ａ  その内周壁
１０              ＣＰＵ
１１              論理制御回路
１２              パイロットエアー作動弁駆動回路
１３              エアー主制御弁駆動回路
１４              給水主制御弁駆動回路
１５              残留水排水制御弁駆動回路
【図１】
0003827046.tif 000002
【図２】
0003827046.tif 000003
【図３】
0003827046.tif 000004
【図４】
0003827046.tif 000005
【図５】
0003827046.tif 000006
【図６】
0003827046.tif 000007
【図７】
0003827046.tif 000008
【図８】
0003827046.tif 000009
【図９】
0003827046.tif 000010
【図１０】
0003827046.tif 000011
【図１１】
0003827046.tif 000012
【図１２】
0003827046.tif 000013
【図１３】
0003827046.tif 000014
【図１４】
0003827046.tif 000015
【図１５】
0003827046.tif 000016
【図１６】
0003827046.tif 000017
【図１７】
0003827046.tif 000018
【図１８】
0003827046.tif 000019
【図１９】
0003827046.tif 000020
【図２０】
0003827046.tif 000021
【図２１】
0003827046.tif 000022
【図２２】
0003827046.tif 000023